(57)【特許請求の範囲】
【請求項１】
制御の開始を指示する指示信号を生成する指示手段と、
前記指示信号を受けると、無線ＬＡＮのアクティブスキャンにおける管理フレームであるプローブリクエストを用いて、識別子を表わすとともに１つ以上のフレーム長を有する複数の制御用プローブリクエストを生成し、その生成した複数の制御用プローブリクエストを前記アクティブスキャンにおいて１つ以上のチャネルで送信する送信手段とを備える端末装置。
【請求項２】
前記送信手段は、前記複数の制御用プローブリクエストを前記１つ以上のチャネルの各チャネル毎に送信することによって前記複数の制御用プローブリクエストを前記１つ以上のチャネルで送信する、請求項１に記載の端末装置。
【請求項３】
前記送信手段は、１つのフレーム長を有する１つの制御用プローブリクエストを前記１つ以上のチャネルで送信する送信処理を前記複数の制御用プローブリクエストの全てについて実行することによって前記複数の制御用プローブリクエストを前記１つ以上のチャネルで送信する、請求項１に記載の端末装置。
【請求項４】
前記送信手段は、前記複数の制御用プローブリクエストの複数のフレーム長から選択された１つのフレーム長からなる基準フレーム長と、前記複数のフレーム長のうちの前記基準フレーム長を除く残りのフレーム長との差分である１つ以上の差分フレーム長によって前記識別子を表わすように前記複数の制御用プローブリクエストを前記１つ以上のチャネルで送信する、請求項２または請求項３に記載の端末装置。
【請求項５】
前記送信手段は、前記複数の制御用プローブリクエストの複数のフレーム長から選択された１つのフレーム長からなる基準フレーム長と前記複数のフレーム長のうちの前記基準フレーム長を除く残りのフレーム長との差分である１つ以上の差分フレーム長を、前記複数の差分フレーム長から選択された１つの差分フレーム長からなる基準値で除算した１つ以上の差分フレーム長／基準値によって前記識別子を表わすように前記複数の制御用プローブリクエストを前記１つ以上のチャネルで送信する、請求項２または請求項３に記載の端末装置。
【請求項６】
前記識別子を前記複数の制御用プローブリクエストの複数のフレーム長によって表わすために用いられ、かつ、一部がダミーのネットワーク識別子である複数のネットワーク識別子を前記接続先の無線装置から受信する受信手段と、
前記受信手段によって受信された複数のネットワーク識別子を当該端末装置に設定する設定手段とを更に備え、
前記送信手段は、接続用プローブリクエストを前記アクティブスキャンにおける管理フレームとして送信するとともに、前記設定手段が前記複数のネットワーク識別子を当該端末装置に設定すると、前記複数のネットワーク識別子に基づいて前記複数の制御用プローブリクエストを生成し、その生成した複数の制御用プローブリクエストを前記１つ以上のチャネルで送信する、請求項１から請求項５のいずれか１項に記載の端末装置。
【請求項７】
当該端末装置の接続先である接続先の無線装置は、同じネットワーク識別子が設定された複数の無線装置からなり、
前記送信手段は、前記複数の制御用プローブリクエストを前記１つ以上のチャネルで送信する、請求項１から請求項６のいずれか１項に記載の端末装置。
【請求項８】
識別子を表わし、かつ、１つ以上のフレーム長を有する複数の制御用プローブリクエストの複数のフレーム長を検出する検出手段と、
前記検出された複数のフレーム長が前記識別子を表わすとき、制御信号を生成する制御手段とを備える無線装置。
【請求項９】
前記制御手段は、前記複数の制御用プローブリクエストの複数のフレーム長から選択された１つのフレーム長からなる基準フレーム長と前記複数のフレーム長のうちの前記基準フレーム長を除く残りのフレーム長との差分である１つ以上の差分フレーム長が前記識別子を表わすとき、前記制御信号を生成する、請求項８に記載の無線装置。
【請求項１０】
前記制御手段は、前記複数の制御用プローブリクエストの複数のフレーム長から選択された１つのフレーム長からなる基準フレーム長と前記複数のフレーム長のうちの前記基準フレーム長を除く残りのフレーム長との差分である１つ以上の差分フレーム長を、前記複数の差分フレーム長から選択された１つの差分フレーム長からなる基準値で除算した１つ以上の差分フレーム長／基準値が前記識別子を表わすとき、前記制御信号を生成する、請求項８に記載の無線装置。
【請求項１１】
前記制御手段は、前記複数のフレーム長が前記識別子を表わすことを複数回確認すると、前記制御信号を生成する、請求項８に記載の無線装置。
【請求項１２】
前記制御手段は、１つ前に検出されたフレーム長と異なるフレーム長が検出されたとき、その検出されたフレーム長を前記識別子を表わす前記複数のフレーム長の１つのフレーム長とし、前記複数の制御用プローブリクエストの複数のフレーム長が前記識別子を表わすことを確認すると、前記制御信号を生成する、請求項８に記載の無線装置。
【請求項１３】
請求項１から請求項７のいずれか１項に記載の端末装置と、
請求項８から請求項１２のいずれか１項に記載の無線装置とを備える無線通信システム。
【発明の詳細な説明】
【技術分野】
【０００１】
この発明は、端末装置、それと無線通信を行う無線装置およびそれらを備えた無線通信システムに関するものである。
【背景技術】
【０００２】
従来、無線ＬＡＮ（Ｌｏｃａｌ  Ａｒｅａ  Ｎｅｔｗｏｒｋ）カードよりも低い電力を消費する８０２．１５．４sensor motesを用いて同じ周波数である無線ＬＡＮチャネルを観測し、送信元からの電波を検知すると、自端末の無線ＬＡＮカードをウェイクアップする手法が提案されている（非特許文献１）。【０００３】
また、より低い電力を消費するウェイクアップ受信機を用いて無線ＬＡＮカードをウェイクアップする手法が提案されている（特許文献１〜３および非特許文献２）。
【特許文献１】特表２００７−５２６６５５号公報
【特許文献２】国際公開第０４／１００５０３号パンフレット
【特許文献３】米国特許出願公開第２００７／０２５３４６８号明細書
【非特許文献１】Nilesh Mishra, Kameswari Chebrolu, Bhaskaran Raman, Abhinav Pathak, Wakeon WLAN, WWW 2006.
【非特許文献２】石田繁己、鈴木誠、森戸貴、森川博之，低受信待機電力無線通信のための多段ウェイクアップ機構，IEICE technical report, information networks 107(525), 355-360, 2008-02-28.
【発明の開示】
【０００４】
しかし、特許文献１〜３および非特許文献１，２では、無線通信がアクセスポイントを介して行われるため、アクセスポイントに帰属していない無線装置は、他の無線装置をウェイクアップさせるためのウェイクアップ信号を送信できないという問題がある。
【０００５】
そこで、この発明は、かかる問題を解決するためになされたものであり、その目的は、無線フレームを送信できないときでも、他の装置を制御可能な端末装置を提供することである。
【０００６】
また、この発明の別の目的は、無線フレームを送信できないときでも、他の装置を制御可能な端末装置と無線通信を行う無線装置を提供することである。
【０００７】
更に、この発明の別の目的は、無線フレームを送信できないときでも、他の装置を制御可能な端末装置を備えた無線通信システムを提供することである。
【０００８】
この発明の実施の形態によれば、端末装置は、指示手段と、送信手段とを備える。指示手段は、制御の開始を指示する指示信号を生成する。送信手段は、指示信号を受けると、無線ＬＡＮのアクティブスキャンにおける管理フレームであるプローブリクエストを用いて、識別子を表わすとともに１つ以上のフレーム長を有する複数の制御用プローブリクエストを生成し、その生成した複数の制御用プローブリクエストをアクティブスキャンにおいて１つ以上のチャネルで送信する。
【０００９】
また、この発明の実施の形態によれば、無線装置は、検出手段と、制御手段とを備える。検出手段は、識別子を表わし、かつ、１つ以上のフレーム長を有する複数の制御用プローブリクエストの複数のフレーム長を検出する。制御手段は、検出された複数のフレーム長が識別子を表わすとき、制御信号を生成する。
【００１０】
さらに、この発明の実施の形態によれば、無線通信システムは、請求項１から請求項７のいずれか１項に記載の端末装置と、請求項８から請求項１２のいずれか１項に記載の無線装置とを備える。
【００１１】
この発明の実施の形態による端末装置は、制御を開始するとき、識別子をフレーム長によって表わした複数の制御用プローブリクエストをアクティブスキャンにおいて送信する。
【００１２】
従って、無線フレームを送信できないときでも、他の装置を制御できる。
【００１３】
また、この発明の実施の形態による無線装置は、複数の制御用プローブリクエストの複数のフレーム長を検出し、その検出した複数のフレーム長が識別子を表わすとき、制御信号を生成する。
【００１４】
従って、無線フレームを送信できないときでも、他の装置を制御できる。
【００１５】
更に、この発明の実施の形態による無線通信システムにおいては、端末装置は、制御を開始するとき、識別子をフレーム長によって表わした複数の制御用プローブリクエストをアクティブスキャンにおいて送信する。そして、無線装置は、端末装置から受信した複数の制御用プローブリクエストの複数のフレーム長を検出し、その検出した複数のフレーム長が識別子を表わすとき、制御信号を生成する。
【００１６】
従って、無線フレームを送信できないときでも、他の装置を制御できる。
【図面の簡単な説明】
【００１７】
【図１】この発明の実施の形態による無線通信システムの構成を示す概略図である。
【図２】図１に示す端末装置の実施の形態１における構成を示す概略図である。
【図３】図１に示す無線基地局の実施の形態１における構成を示す概略図である。
【図４】図３に示すウェイクアップ信号受信機の構成図である。
【図５】起動用プローブリクエストの概念図である。
【図６】ＥＳＳＩＤの文字数と、起動用プローブリクエストの時間長であるフレーム長との変換表を示す図である。
【図７】包絡線検波およびビット判定の概念図である。
【図８】起動用プローブリクエストの送信方法を示す概念図である。
【図９】図１に示す無線通信システムの実施の形態１における動作を示すフローチャートである。
【図１０】図１に示す端末装置の実施の形態２における構成を示す概略図である。
【図１１】図１に示す無線基地局の実施の形態２における構成を示す概略図である。
【図１２】図１１に示すウェイクアップ信号受信機の構成を示す概略図である。
【図１３】無線基地局の識別子を差分フレーム長によって表わす方法を示す図である。
【図１４】ＥＳＳＩＤの文字数と差分フレーム長との変換表を示す図である。
【図１５】図１に示す無線通信システムの実施の形態２における動作を示すフローチャートである。
【図１６】図１に示す端末装置の実施の形態２における他の構成を示す概略図である。
【図１７】図１に示す無線基地局の実施の形態２における他の構成を示す概略図である。
【図１８】図１７に示すウェイクアップ信号受信機の構成を示す概略図である。
【図１９】無線基地局の識別子を差分フレーム長／基準値によって表わす方法を示す図である。
【図２０】ＥＳＳＩＤの文字数と差分フレーム長／基準値との変換表を示す図である。
【図２１】図１に示す無線通信システムの実施の形態２における別の動作を示すフローチャートである。
【図２２】図１に示す端末装置の実施の形態３における構成を示す概略図である。
【図２３】図１に示す無線基地局の実施の形態３における構成を示す概略図である。
【図２４】図１に示す無線通信システムの実施の形態３における動作を示すフローチャートである。
【図２５】実施の形態４による無線通信システムの構成を示す概略図である。
【発明を実施するための最良の形態】
【００１８】
本発明の実施の形態について図面を参照しながら詳細に説明する。なお、図中同一または相当部分には同一符号を付してその説明は繰返さない。【００１９】
図１は、この発明の実施の形態による無線通信システムの構成を示す概略図である。図１を参照して、この発明の実施の形態による無線通信システム１０は、端末装置１と、無線基地局２とを備える。【００２０】
端末装置１は、無線基地局２または無線基地局２以外の他の無線装置との間で無線リンクを確立していないとき、スリープ状態から起動状態へ移行させたい無線基地局２の識別子を表わし、かつ、１つ以上のフレーム長を有する複数の起動用プローブリクエストを無線ＬＡＮのアクティブスキャンにおける管理フレームとして全チャネルで無線基地局２へ送信する。【００２１】
この複数の起動用プローブリクエストは、無線基地局に帰属していない端末装置が送信可能な管理フレームであり、後述するように、無線ＬＡＮのアクティブスキャンにおける管理フレームであるプローブリクエストを用いて作成される。また、全チャネルは、複数の周波数チャネルからなり、通常、無線通信システム１０に適用される無線通信方式（ＩＥＥＥ８０２．１１ｂ等）における全チャネルからなる。そして、全チャネルは、ＩＥＥＥ８０２．１１ｂの無線通信方式においては、１４個の周波数チャネルＣｈ１〜Ｃｈ１４からなる。【００２２】
無線基地局２は、端末装置１からの複数の起動用プローブリクエストを全チャネルのうちのいずれかのチャネル（チャネルＣｈ１〜Ｃｈ１４のいずれか）で受信する。そして、無線基地局２は、その受信した複数の起動用プローブリクエストの複数のフレーム長を検出し、その検出した複数のフレーム長が自己の識別子を表わすとき、スリープ状態から起動状態へ移行する。【００２３】
［実施の形態１］
図２は、図１に示す端末装置１の実施の形態１における構成を示す概略図である。図２を参照して、端末装置１は、アンテナ１１と、フレーム長変調信号生成部１２と、ホストシステム１３とを含む。【００２４】
ホストシステム１３は、無線基地局２をスリープ状態から起動状態へ移行させるウェイクアップＩＤを生成するためのＥＳＳＩＤ（Ｅｘｔｅｎｄｅｄ  Ｓｅｒｖｉｃｅ  Ｓｅｔ  Ｉｄｅｎｔｉｆｉｅｒ）群が予め設定されている。このＥＳＳＩＤ群は、一部がダミーのネットワーク識別子である複数のネットワーク識別子からなる。【００２５】
フレーム長変調信号生成部１２は、端末装置１が無線基地局２または無線基地局２以外の他の無線装置との間で無線リンクを確立していないときに、無線基地局２との通信を開始するための指示信号ＣＭＳ１および無線基地局２の識別子を表わす複数のフレーム長をホストシステム１３から受ける。【００２６】
そして、フレーム長変調信号生成部１２は、指示信号ＣＭＳ１に応じて、複数のフレーム長を有する複数の起動用プローブリクエストＰＲＱＤ１〜ＰＲＱＤｎ（ｎは２以上の整数）を生成し、その生成した複数の起動用プローブリクエストＰＲＱＤ１〜ＰＲＱＤｎをアンテナ１１を介して全チャネルＣｈ１〜Ｃｈ１４で送信する。【００２７】
複数の起動用プローブリクエストＰＲＱＤ１〜ＰＲＱＤｎは、後述するように、一部がダミーのネットワーク識別子である複数のネットワーク識別子に基づいて生成されるものであり、無線ＬＡＮのアクティブスキャンにおける管理フレームであるプローブリクエストＰＲＱとは異なるものである。【００２８】
即ち、このプローブリクエストＰＲＱは、接続先の無線基地局を含むネットワークのネットワーク識別子であるＥＳＳＩＤを含む管理フレームである。一方、複数の起動用プローブリクエストＰＲＱＤ１〜ＰＲＱＤｎは、接続先の無線基地局を含むネットワークのネットワーク識別子と、接続先の無線基地局を含むネットワークのネットワーク識別子に無関係に決定されたダミーネットワーク識別子とを含む複数のネットワーク識別子に基づいて生成されるものである。従って、複数の起動用プローブリクエストＰＲＱＤ１〜ＰＲＱＤｎは、プローブリクエストＰＲＱと異なる。【００２９】
ホストシステム１３は、スリープ状態にある無線基地局２との間で無線通信を開始するとき、指示信号ＣＭＳ１をフレーム長変調信号生成部１２へ出力する。また、ホストシステム１３は、保持しているＥＳＳＩＤ群に基づいて無線基地局２の識別子を表わす複数のフレーム長を決定し、その決定した複数のフレーム長をフレーム長変調信号生成部１２へ出力する。【００３０】
なお、図２に図示されていないが、端末装置１は、ホストシステム１３からのデータを変調し、その変調したデータを含む無線フレームをアンテナ１１を介して無線基地局２へ送信するとともに、無線基地局２からの無線フレームをアンテナ１１を介して受信し、その受信した無線フレームを復調し、その復調して得られるデータをホストシステム１３へ出力する送受信部を更に備える。【００３１】
図３は、図１に示す無線基地局２の実施の形態１における構成を示す概略図である。図３を参照して、無線基地局２は、アンテナ２１と、切替器２２と、ウェイクアップ信号受信機２３と、メイン装置２４と、電源２５とを含む。【００３２】
アンテナ２１は、切替器２２を介してウェイクアップ信号受信機２３またはメイン装置２４に接続される。【００３３】
切替器２２は、アンテナ２１と、ウェイクアップ信号受信機２３およびメイン装置２４との間に接続される。【００３４】
アンテナ２１は、無線通信によって端末装置１から複数の起動用プローブリクエストＰＲＱＤ１〜ＰＲＱＤｎを受信し、その受信した複数の起動用プローブリクエストＰＲＱＤ１〜ＰＲＱＤｎを切替器２２を介してウェイクアップ信号受信機２３へ出力する。また、アンテナ２１は、無線通信によって端末装置１から無線フレームを受信し、その受信した無線フレームをメイン装置１４へ出力する。更に、アンテナ２１は、メイン装置２４から受けた無線フレームを無線通信によって端末装置１へ送信する。【００３５】
切替器２２は、メイン装置２４からの制御信号ＣＴＬに応じて、アンテナ２１をウェイクアップ信号受信機２３またはメイン装置２４に接続する。【００３６】
ウェイクアップ信号受信機２３は、例えば、１００μＷの電力を電源２５から受け、その受けた電力によって駆動される。また、ウェイクアップ信号受信機２３は、メイン装置２４がスリープ状態にあるとき、切替器２２を介してアンテナ２１に接続される。そして、ウェイクアップ信号受信機２３は、アンテナ２１を介して端末装置１から複数の起動用プローブリクエストＰＲＱＤ１〜ＰＲＱＤｎを全チャネルＣｈ１〜Ｃｈ１４のうちのいずれかのチャネルで受信すると、その受信した複数の起動用プローブリクエストＰＲＱＤ１〜ＰＲＱＤｎの複数のフレーム長を検出し、その検出した複数のフレーム長が無線基地局２の識別子に一致するか否かを判定する。ウェイクアップ信号受信機２３は、複数のフレーム長が無線基地局２の識別子に一致すると判定したとき、起動信号を生成し、その生成した起動信号をメイン装置２４へ出力する。【００３７】
一方、ウェイクアップ信号受信機２３は、複数のフレーム長が無線基地局２の識別子に一致しないとき、複数の起動用プローブリクエストを破棄する。そして、ウェイクアップ信号受信機２３は、複数の起動用プローブリクエストの受信を待つ状態になる。【００３８】
なお、ウェイクアップ信号受信機２３は、無線基地局２をウェイクアップさせるための複数の起動用プローブリクエストＰＲＱＤ１〜ＰＲＱＤｎを受信する機能のみを有し、無線ＬＡＮにおける無線フレームを送信する機能を有しない。【００３９】
メイン装置２４は、例えば、７Ｗの電力を電源２５から受け、その受けた電力によって駆動される。【００４０】
メイン装置２４は、起動状態であるとき、アンテナ２１を介して端末装置１と無線通信を行い、有線ケーブル２０を介して他の通信装置と通信を行う。【００４１】
また、メイン装置２４は、一定の期間Ｔ１、端末装置１と無線通信を行わなかったとき、または無線基地局２に帰属する端末装置が存在しないとき、起動状態からスリープ状態へ移行する。なお、一定の期間Ｔ１は、例えば、数十秒に設定される。【００４２】
更に、メイン装置２４は、スリープ状態にあるときに、ウェイクアップ信号受信機２３から起動信号を受けると、スリープ状態から起動状態へ移行する。【００４３】
電源２５は、１００μＷの電力をウェイクアップ信号受信機２３へ供給し、７Ｗの電力をメイン装置２４へ供給する。【００４４】
切替器２２は、スイッチ２２１と、端子２２２，２２３とを含む。メイン装置２４は、無線通信モジュール２４１と、有線通信モジュール２４２と、ホストシステム２４３とを含む。【００４５】
スイッチ２２１は、アンテナ２１に接続される。端子２２２は、ウェイクアップ信号受信機２３に接続される。端子２２３は、無線通信モジュール２４１に接続される。【００４６】
スイッチ２２１は、メイン装置２４のホストシステム２４３から制御信号ＣＴＬを受ける。そして、スイッチ２２１は、その制御信号ＣＴＬによってアンテナ２１を端子２２２または端子２２３に接続する。【００４７】
この場合、制御信号ＣＴＬは、Ｌ（論理ロー）レベルの信号、またはＨ（論理ハイ）レベルの信号からなる。そして、スイッチ２２１は、制御信号ＣＴＬがＬレベルの信号からなる場合、アンテナ２１を端子２２２に接続し、制御信号ＣＴＬがＨレベルの信号からなる場合、アンテナ２１を端子２２３に接続する。【００４８】
無線通信モジュール２４１は、ホストシステム２４３からコマンド信号ＣＯＭ１を受けると、起動状態からスリープ状態へ移行し、ホストシステム２４３からコマンド信号ＣＯＭ２を受けると、スリープ状態から起動状態へ移行する。なお、このスリープ状態は、無線通信モジュール２４１が動作を停止した状態である。【００４９】
そして、無線通信モジュール２４１は、起動状態へ移行すると、アンテナ２１を介してビーコンフレームＢｅａｃｏｎを定期的に送信し、端末装置１との間で無線リンクを確立する。その後、無線通信モジュール２４１は、端末装置１と無線通信を行う。この場合、無線通信モジュール２４１は、端末装置１から受信した無線フレームからデータを取り出してホストシステム２４３へ出力し、ホストシステム２４３から受けたデータを含む無線フレームを生成して端末装置１へ送信する。【００５０】
有線通信モジュール２４２は、有線ケーブル２０を介して他の通信装置からデータを受信し、その受信したデータをホストシステム２４３へ出力する。【００５１】
また、有線通信モジュール２４２は、ホストシステム２４３からデータを受け、その受けたデータを有線ケーブル２０を介して他の通信装置へ送信する。【００５２】
更に、有線通信モジュール２４２は、ホストシステム２４３からコマンド信号ＣＯＭ１を受けると、起動状態からスリープ状態へ移行し、ホストシステム２４３からコマンド信号ＣＯＭ２を受けると、スリープ状態から起動状態へ移行する。なお、このスリープ状態は、有線通信モジュール２４２が動作を停止した状態である。【００５３】
ホストシステム２４３は、一定の期間Ｔ１、端末装置１からの無線フレームを無線通信モジュール２４１を介して受けないとき、または無線基地局２の通信範囲内に端末装置が存在しないとき、コマンド信号ＣＯＭ１を生成し、その生成したコマンド信号ＣＯＭ１を無線通信モジュール２４１および有線通信モジュール２４２へ出力するとともに、Ｌレベルの制御信号ＣＴＬを生成して切替器２２へ出力する。そして、ホストシステム２４３は、スリープ状態（＝停止状態）へ移行する。【００５４】
また、ホストシステム２４３は、ウェイクアップ信号受信機２３から起動信号を受けると、スリープ状態から起動状態へ移行する。そして、ホストシステム２４３は、コマンド信号ＣＯＭ２を生成し、その生成したコマンド信号ＣＯＭ２を無線通信モジュール２４１および有線通信モジュール２４２へ出力するとともに、Ｈレベルの制御信号ＣＴＬを生成して切替器２２へ出力する。【００５５】
更に、ホストシステム２４３は、無線通信モジュール２４１からデータを受けると、その受けたデータを有線通信モジュール２４２へ出力する。【００５６】
更に、ホストシステム２４３は、有線通信モジュール２４２からデータを受けると、その受けたデータを無線通信モジュール２４１へ出力する。【００５７】
更に、ホストシステム２４３は、無線基地局２の通信範囲内に存在する端末装置を管理する。【００５８】
図４は、図３に示すウェイクアップ信号受信機２３の構成図である。図４を参照して、ウェイクアップ信号受信機２３は、ＢＰＦ（Ｂａｎｄ  Ｐａｓｓ  Ｆｉｌｔｅｒ）２３１と、包絡線検波器２３２と、ビット判定器２３３と、フレーム長検出器２３４と、ＩＤ識別器２３５とを含む。【００５９】
ＢＰＦ２３１は、アンテナ２１および切替器２２を介して電波を受信し、その受信した受信電波から全チャネルＣｈ１〜Ｃｈ１４のうちのいずれかのチャネルの周波数を有する受信電波を包絡線検波器２３２へ出力する。【００６０】
包絡線検波器２３２は、ＢＰＦ２３１から受けた受信電波を一定周期（例えば、８μｓ）ごとに包絡線検波し、その検波した検波信号をビット判定器２３３へ出力する。【００６１】
ビット判定器２３３は、包絡線検波器２３２から受けた検波信号を“０”または“１”のビット値に変換し、その変換後のビット列をフレーム長検出器２３４へ出力する。【００６２】
フレーム長検出器２３４は、ビット判定器２３３から受けたビット列に基づいて複数の起動用プローブリクエストＰＲＱＤ１〜ＰＲＱＤｎの各フレーム長を検出する。より具体的には、フレーム長検出器２３４は、“１”のビット値の個数を累計し、“０”のビット値が入力されれば、累計値に基づいてフレーム長を検出し、その検出したフレーム長をＩＤ識別器２３５へ出力するとともに、累計値をリセットする。【００６３】
ＩＤ識別器２３５は、無線基地局２の識別子を表わす複数のフレーム長を予め保持する。そして、ＩＤ識別器２３５は、フレーム長をフレーム長検出器２３４から受け、その受けたフレーム長を保持する。【００６４】
ＩＤ識別器２３５は、複数のフレーム長を保持した時点で、複数のフレーム長が無線基地局２の識別子（＝予め保持している複数のフレーム長）に一致するか否かを判定する。そして、ＩＤ識別器２３５は、複数のフレーム長が無線基地局２の識別子に一致するとき、起動信号を生成してホストシステム２４３へ出力する。【００６５】
図５は、起動用プローブリクエストの概念図である。図５を参照して、起動用プローブリクエストＰＲＱＤ１は、ＥＳＳＩＤが無いときのプローブリクエストであり、起動用プローブリクエストＰＲＱＤ２は、ＥＳＳＩＤが８文字であるときのプローブリクエストであり、起動用プローブリクエストＰＲＱＤ３は、ＥＳＳＩＤが３２文字であるときのプローブリクエストである。【００６６】
そして、起動用プローブリクエストＰＲＱＤ１〜ＰＲＱＤ３は、それぞれ、Ｌ１〜Ｌ３のフレーム長を有する。【００６７】
フレーム長Ｌ１は、無線通信システム１０の設計者によって設定されたフレーム長である。フレーム長Ｌ２は、フレーム長Ｌ１よりも８Ｂｙｔｅだけ長い。フレーム長Ｌ３は、フレーム長Ｌ１よりも３２Ｂｙｔｅだけ長い。【００６８】
そこで、この発明の実施の形態においては、各々が０〜３２Ｂｙｔｅの範囲の文字数からなり、一部がダミーＥＳＳＩＤである複数のネットワーク識別子を生成し、その生成した複数のネットワーク識別子に対応する複数のフレーム長によって無線基地局２の識別子を表わすことにした。【００６９】
そして、ネットワーク識別子（＝ＥＳＳＩＤ）の文字数が０Ｂｙｔｅであるとき、文字数を“０”Ｂｙｔｅに設定したプローブリクエストＰＲＱを用いて起動用プローブリクエストＰＲＱＤ１を作成する。【００７０】
また、ネットワーク識別子（＝ＥＳＳＩＤ）の文字数が８Ｂｙｔｅであるとき、文字数を“０”Ｂｙｔｅに設定したプローブリクエストＰＲＱに８Ｂｙｔｅ分の文字数を加えて起動用プローブリクエストＰＲＱＤ２を作成する。【００７１】
更に、ネットワーク識別子（＝ＥＳＳＩＤ）の文字数が３２Ｂｙｔｅであるとき、文字数を“０”Ｂｙｔｅに設定したプローブリクエストＰＲＱに３２Ｂｙｔｅ分の文字数を加えて起動用プローブリクエストＰＲＱＤ３を作成する。【００７２】
ネットワーク識別子（＝ＥＳＳＩＤ）の文字数が０，８，３２Ｂｙｔｅ以外の値であるときも、同様にして起動用プローブリクエストＰＲＱＤｉ（ｉ＝１〜ｎ）を作成する。【００７３】
このように、起動用プローブリクエストＰＲＱＤ１〜ＰＲＱＤｎは、プローブリクエストＰＲＱを用いて作成される。【００７４】
その結果、文字数を０〜３２Ｂｙｔｅの範囲に設定することによって、起動用プローブリクエストＰＲＱＤｉのフレーム長は、フレーム長Ｌ１〜Ｌ３の範囲で変更可能である。【００７５】
この発明の実施の形態においては、ネットワーク識別子（＝ＥＳＳＩＤ）の文字数＝０Ｂｙｔｅも含め、複数のネットワーク識別子（＝複数のＥＳＳＩＤ）の複数の文字数によって無線基地局２の識別子を表わす。その結果、複数のネットワーク識別子（＝複数のＥＳＳＩＤ）の複数の文字数に対応する複数のフレーム長によって各無線基地局を識別可能である。【００７６】
ＩＥＥＥ８０２．１１ｂの無線通信方式においては、プローブリクエストＰＲＱは、最も低い伝送レートである１Ｍｂｐｓで送信される。その結果、８Ｂｙｔｅは、６４μｓの長さに相当し、３２Ｂｙｔｅは、２５６μｓの長さに相当する。即ち、１Ｂｙｔｅ当りの長さが８μｓになる。【００７７】
従って、フレーム長Ｌ１が２００μｓである場合、各無線基地局の識別子を２００μｓ〜４５６μｓの範囲の複数のフレーム長によって表わすことができる。【００７８】
複数のネットワーク識別子（＝複数のＥＳＳＩＤ）は、例えば、ダミーＥＳＳＩＤ＝０、ダミーＥＳＳＩＤ＝ａ、ＥＳＳＩＤ＝ａｂｃｄｅｆｇ、ダミーＥＳＳＩＤ＝ａｂｃｄおよびダミーＥＳＳＩＤ＝ａｂｃｄｅｆｇｈｉｊ等からなり、ダミーＥＳＳＩＤ＝０、ダミーＥＳＳＩＤ＝ａ、ＥＳＳＩＤ＝ａｂｃｄｅｆｇ、ダミーＥＳＳＩＤ＝ａｂｃｄおよびダミーＥＳＳＩＤ＝ａｂｃｄｅｆｇｈｉｊ等は、ＥＳＳＩＤ群を構成する。そして、このＥＳＳＩＤ群は、端末装置１のホストシステム１３および無線基地局２のＩＤ識別器２３５に予め設定されている。【００７９】
このように、複数のネットワーク識別子（＝複数のＥＳＳＩＤ）は、ダミーＥＳＳＩＤと、本来のＥＳＳＩＤとを含む。【００８０】
なお、ａ，ｂ，ｃ，ｄ，ｅ，ｆ，ｇ，ｈ，ｉ，ｊ等の各文字は、１Ｂｙｔｅを表わす。【００８１】
図６は、ＥＳＳＩＤの文字数と、起動用プローブリクエストの時間長であるフレーム長Ｌとの変換表を示す図である。図６を参照して、変換表ＴＢＬ１は、ＥＳＳＩＤの文字数とフレーム長とを含む。ＥＳＳＩＤの文字数およびフレーム長は、相互に対応付けられる。【００８２】
２００μｓのフレーム長Ｌは、０Ｂｙｔｅの文字数に対応付けられる。２０８μｓのフレーム長Ｌは、１Ｂｙｔｅの文字数に対応付けられる。２１６μｓのフレーム長Ｌは、２Ｂｙｔｅの文字数に対応付けられる。以下、同様にして、４４８μｓのフレーム長Ｌは、３１Ｂｙｔｅの文字数に対応付けられ、４５６μｓのフレーム長Ｌは、３２Ｂｙｔｅの文字数に対応付けられる。【００８３】
端末装置１のホストシステム１３は、変換表ＴＢＬ１を保持している。そして、ホストシステム１３は、例えば、０Ｂｙｔｅの文字数からなるダミーＥＳＳＩＤ、３Ｂｙｔｅの文字数からなるダミーＥＳＳＩＤおよび８Ｂｙｔｅの文字数からなるＥＳＳＩＤがＥＳＳＩＤ群を構成するとき、変換表ＴＢＬ１を参照して、０Ｂｙｔｅの文字数からなるダミーＥＳＳＩＤにフレーム長Ｌ＝２００μｓを割り当て、３Ｂｙｔｅの文字数からなるダミーＥＳＳＩＤにフレーム長Ｌ＝２２４μｓを割り当て、８Ｂｙｔｅの文字数からなるＥＳＳＩＤにフレーム長Ｌ＝２６４μｓを割り当てる。【００８４】
そうすると、ホストシステム１３は、２００μｓ，２２４μｓ，２６４μｓの３個のフレーム長をフレーム長変調信号生成部１２へ出力する。そして、フレーム長変調信号生成部１２は、ホストシステム１３から２００μｓ，２２４μｓ，２６４μｓのフレーム長を受け、その受けた２００μｓ，２２４μｓ，２６４μｓのフレーム長をそれぞれ有する３個の起動用プローブリクエストＰＲＱＤを生成し、その生成した３個の起動用プローブリクエストＰＲＱＤを全チャネルＣｈ１〜Ｃｈ１４で送信する。【００８５】
ＥＳＳＩＤ群が０Ｂｙｔｅ，３Ｂｙｔｅ，８Ｂｙｔｅの文字数以外の文字数を有する複数のネットワーク識別子からなる場合も、同様である。【００８６】
図７は、包絡線検波およびビット判定の概念図である。図７を参照して、ウェイクアップ信号受信機２３の包絡線検波器２３２は、起動用プローブリクエストＰＲＱＤの受信電波をＢＰＦ２３１から受ける。起動用プローブリクエストＰＲＱＤは、例えば、２００μｓのフレーム長Ｌを有する（（ａ）参照）。【００８７】
包絡線検波器２３２は、起動用プローブリクエストＰＲＱＤの包絡線ＥＶＬを検出し、その検出した包絡線ＥＶＬを８（μｓ）毎に検波し、検波値Ｉ１〜Ｉ２６を検出する（（ｂ）参照）。【００８８】
そして、包絡線検波器２３２は、検波値Ｉ１〜Ｉ２６をビット判定器２３３へ出力する。ビット判定器２３３は、検波値Ｉ１〜Ｉ２６をビット判定し、“１１１・・・１１１０”のビット列を得る。そして、ビット判定器２３３は、“１１１・・・１１１０”のビット列をフレーム長検出器２３４へ出力する。【００８９】
フレーム長検出器２３４は、“１１１・・・１１１０”のビット列の先頭から“１”のビット値の個数を累積し、“２５”の累積値を検出する。そして、フレーム長検出器２３４は、２６個目のビット値が“０”であるので、“２５”の累積値に８μｓを乗算して２００μｓのフレーム長を検出し、その検出した２００μｓのフレーム長をＩＤ識別器２３５へ出力するとともに、累積値をリセットする。【００９０】
ＩＤ識別器２３５は、フレーム長検出器２３４から２００μｓのフレーム長を受け、その受けた２００μｓのフレーム長を保持する。【００９１】
包絡線検波器２３２、フレーム長検出器２３４およびＩＤ識別器２３５は、２２４μｓのフレーム長を有する起動用プローブリクエストＰＲＱＤおよび２６４μｓのフレーム長を有する起動用プローブリクエストＰＲＱＤを同様に処理する。【００９２】
そして、ＩＤ識別器２３５は、２００μｓのフレーム長、２２４μｓのフレーム長および２６４μｓのフレーム長を保持すると、その保持した２００μｓのフレーム長、２２４μｓのフレーム長および２６４μｓのフレーム長が無線基地局２の識別子に一致するか否かを判定する。【００９３】
２００μｓのフレーム長、２２４μｓのフレーム長および２６４μｓのフレーム長が無線基地局２の識別子に一致するとき、ＩＤ識別器２３５は、起動信号を生成してメイン装置２４へ出力する。一方、２００μｓのフレーム長、２２４μｓのフレーム長および２６４μｓのフレーム長が無線基地局２の識別子に一致しないとき、ＩＤ識別器２３５は、２００μｓのフレーム長、２２４μｓのフレーム長および２６４μｓのフレーム長を破棄する。【００９４】
図８は、起動用プローブリクエストＰＲＱＤの送信方法を示す概念図である。図８を参照して、ＥＳＳＩＤ群が０Ｂｙｔｅの文字数からなるダミーＥＳＳＩＤと、８Ｂｙｔｅの文字数からなるＥＳＳＩＤと、３２Ｂｙｔｅの文字数からなるダミーＥＳＳＩＤとからなる場合、上述したように、３種類の起動用プローブリクエストＰＲＱ１〜ＰＲＱ３が生成される。【００９５】
そして、起動用プローブリクエストＰＲＱＤ１〜ＰＲＱＤ３は、チャネルＣｈ１で送信され、その後、チャネルＣｈ２で送信され、以下同様にして、チャネルＣｈ１４で送信される（図８の（ａ）参照）。即ち、起動用プローブリクエストＰＲＱＤ１〜ＰＲＱＤ３は、チャネル毎に全チャネルＣｈ１〜Ｃｈ１４について送信される。【００９６】
また、起動用プローブリクエストＰＲＱＤ１は、全チャネルＣｈ１〜Ｃｈ１４で複数回送信され、その後、起動用プローブリクエストＰＲＱＤ２は、全チャネルＣｈ１〜Ｃｈ１４で複数回送信され、以下同様にして、起動用プローブリクエストＰＲＱＤ３は、全チャネルＣｈ１〜Ｃｈ１４で複数回送信される（図８の（ｂ）参照）。即ち、起動用プローブリクエストＰＲＱＤ１〜ＰＲＱＤ３は、１つのフレーム長を有する起動用プローブリクエストＰＲＱＤを全チャネルＣｈ１〜Ｃｈ１４で複数回送信することを全ての起動用プローブリクエストＰＲＱＤ１〜ＰＲＱＤ３について実行することによって全チャネルＣｈ１〜Ｃｈ１４で送信される。【００９７】
図８の（ａ）に示す方法で起動用プローブリクエストＰＲＱＤ１〜ＰＲＱＤ３を送信した場合、無線基地局２は、好ましくは、自己の識別子を表わす複数のフレーム長を複数回受信したときにスリープ状態から起動状態へ移行する。これによって、無線基地局２におけるスリープ状態から起動状態への移行における信頼性を向上できる。【００９８】
また、図８の（ｂ）に示す方法で起動用プローブリクエストＰＲＱＤ１〜ＰＲＱＤ３を送信した場合、無線基地局２は、フレーム長が変化したときに、そのフレーム長が変化した起動用プローブリクエストＰＲＱＤのフレーム長が識別子の対象であると認識する。【００９９】
図８の（ｂ）では、各起動用プローブリクエストＰＲＱＤ１〜ＰＲＱＤ３は、３回づつ全チャネルＣｈ１〜Ｃｈ１４で送信されている。起動用プローブリクエストＰＲＱＤ１が全チャネルＣｈ１〜Ｃｈ１４で送信される場合、無線基地局２は、何も受信していない状態から起動用プローブリクエストＰＲＱＤ１を受信し始めるので、１個目の起動用プローブリクエストＰＲＱＤ１を受信したときにフレーム長の変化を認識し、１個目の起動用プローブリクエストＰＲＱＤ１のフレーム長を識別子の対象であると認識する。そして、無線基地局２は、２個目および３個目の起動用プローブリクエストＰＲＱＤ１を受信しても、フレーム長が変化していないので、２個目および３個目の起動用プローブリクエストＰＲＱＤ１のフレーム長を無視する。【０１００】
また、無線基地局２は、３個の起動用プローブリクエストＰＲＱＤ１の後に、１個目の起動用プローブリクエストＰＲＱＤ２を受信すると、フレーム長が変化したので、起動用プローブリクエストＰＲＱＤ２のフレーム長を識別子の対象であると認識する。そして、無線基地局２は、２個目および３個目の起動用プローブリクエストＰＲＱＤ２を受信しても、フレーム長が変化していないので、２個目および３個目の起動用プローブリクエストＰＲＱＤ２のフレーム長を無視する。【０１０１】
起動用プローブリクエストＰＲＱＤ３を受信したときも、同様である。【０１０２】
なお、複数の起動用プローブリクエストＰＲＱＤ１〜ＰＲＱＤｎは、相互に同じフレーム長を有していてもよく、相互に異なるフレーム長を有していてもよい。例えば、５個の起動用プローブリクエストＰＲＱＤ１〜ＰＲＱＤ５の５個のフレーム長が無線基地局２の識別子を表わす場合、５個の起動用プローブリクエストＰＲＱＤ１〜ＰＲＱＤ５は、それぞれ、Ｌ１，Ｌ１，Ｌ１，Ｌ１，Ｌ１のフレーム長を有していてもよく、それぞれ、Ｌ１，Ｌ１，Ｌ２，Ｌ２，Ｌ２のフレーム長を有していてもよく、Ｌ１，Ｌ２，Ｌ３，Ｌ４，Ｌ５のフレーム長を有していてもよい。従って、複数の起動用プローブリクエストＰＲＱＤ１〜ＰＲＱＤｎは、一般的には、１つ以上のフレーム長を有していればよい。【０１０３】
図９は、図１に示す無線通信システム１０の実施の形態１における動作を示すフローチャートである。【０１０４】
なお、図９においては、ＥＳＳＩＤ群がダミーＥＳＳＩＤ１＝ａｂｃｄ（４Ｂｙｔｅ）、ＥＳＳＩＤ２＝ａｂｃｄｅｆｇｈ（８Ｂｙｔｅ）およびダミーＥＳＳＩＤ３＝ａｂ（２Ｂｙｔｅ）によって表わされる場合を例にして無線通信システム１０の動作を説明する。また、無線基地局２は、チャネルＣｈ２で複数の起動用プローブリクエストを受信することを前提とする。【０１０５】
図９を参照して、一連の動作が開始されると、端末装置１のフレーム長変調信号生成部１２は、ホストシステム１３から指示信号ＣＭＳ１を受けたか否かを判定することによって無線通信を開始するか否かを判定する（ステップＳ１）。この場合、フレーム長変調信号生成部１２は、ホストシステム１３から指示信号ＣＭＳ１を受けると、無線通信を開始すると判定し、ホストシステム１３から指示信号ＣＭＳ１を受けないとき、無線通信を開始しないと判定する。【０１０６】
ステップＳ１において、無線通信を開始すると判定されると、ホストシステム１３は、変換表ＴＢＬ１を参照して、ダミーＥＳＳＩＤ１＝ａｂｃｄ（４Ｂｙｔｅ）、ＥＳＳＩＤ２＝ａｂｃｄｅｆｇｈ（８Ｂｙｔｅ）およびダミーＥＳＳＩＤ３＝ａｂ（２Ｂｙｔｅ）をそれぞれ２３２μｓ，２６４μｓ，２１６μｓのフレーム長に変換し、その変換した２３２μｓ，２６４μｓ，２１６μｓのフレーム長をフレーム長変調信号生成部１２へ出力する。【０１０７】
そして、フレーム長変調信号生成部１２は、２３２μｓ，２６４μｓ，２１６μｓのフレーム長を受けると、２３２μｓ，２６４μｓ，２１６μｓのフレーム長をそれぞれ有する複数の起動用プローブリクエストＰＲＱＤ４〜ＰＲＱＤ６を生成し、その生成した複数の起動用プローブリクエストＰＲＱＤ４〜ＰＲＱＤ６を無線ＬＡＮのアクティブスキャンにおける管理フレームとして全チャネルＣｈ１〜Ｃｈ１４で送信する（ステップＳ２）。【０１０８】
この場合、複数の起動用プローブリクエストＰＲＱＤ４〜ＰＲＱＤ６は、図８の（ａ）に示す方法または図８の（ｂ）に示す方法で送信される。【０１０９】
そして、ステップＳ２の後、無線基地局２のウェイクアップ信号受信機２３は、アンテナ２１および切替器２２を介して複数の起動用プローブリクエストＰＲＱＤ４〜ＰＲＱＤ６をチャネルＣｈ１〜Ｃｈ１４のうちのチャネルＣｈ２で受信する（ステップＳ３）。【０１１０】
そして、ウェイクアップ信号受信機２３のＢＰＦ２３１は、複数の起動用プローブリクエストＰＲＱＤ４〜ＰＲＱＤ６の受信電波のうち、チャネルＣｈ２の周波数を有する受信電波を包絡線検波器２３２へ出力する。【０１１１】
そして、包絡線検波器２３２は、複数の起動用プローブリクエストＰＲＱＤ４〜ＰＲＱＤ６に対応する複数の受信電波を包絡線検波し（ステップＳ４）、その検波した複数の検波信号をビット判定器２３３へ出力する。【０１１２】
その後、ビット判定器２３３は、複数の検波信号の各々を一定周期でビット判定し（ステップＳ５）、複数のビット列を生成する。そして、ビット判定器２３３は、その生成した複数のビット列をフレーム長検出器２３４へ出力する。【０１１３】
フレーム長検出器２３４は、“１”の累積値の演算を複数のビット列について実行し（ステップＳ６）、複数の累積値に基づいて複数の起動用プローブリクエストの複数のフレーム長を検出する（ステップＳ７）。この場合、フレーム長検出器２３４は、１つの累積値にビット判定における一定周期を乗算してフレーム長を検出する処理を複数の累積値について実行し、２３２μｓ，２６４μｓ，２１６μｓの複数のフレーム長を検出する。そして、フレーム長検出器２３４は、その検出した複数のフレーム長をＩＤ識別器２３５へ出力する。【０１１４】
ＩＤ識別器２３５は、複数のフレーム長を受け、その受けた複数のフレーム長が無線基地局２の識別子に一致するか否かを判定する（ステップＳ８）。【０１１５】
ステップＳ８において、複数のフレーム長が無線基地局２の識別子に一致しないと判定されたとき、一連の動作は終了する。【０１１６】
一方、ステップＳ８において、複数のフレーム長が無線基地局２の識別子に一致すると判定されたとき、ＩＤ識別器２３５は、起動信号を生成してホストシステム２４３へ出力し、ホストシステム２４３は、起動信号に応じてスリープ状態から起動状態へ移行する。そして、ホストシステム２４３は、コマンド信号ＣＯＭ２を無線通信モジュール２４１および有線通信モジュール２４２へ出力し、無線通信モジュール２４１および有線通信モジュール２４２は、コマンド信号ＣＯＭ２に応じてスリープ状態から起動状態へ移行する。これによって、無線基地局２は、スリープ状態から起動状態へ移行する（ステップＳ９）。そして、一連の動作は、終了する。【０１１７】
このように、ステップＳ２においては、端末装置１は、複数の起動用プローブリクエストを全チャネルＣｈ１〜Ｃｈ１４で送信する。従って、無線基地局２がチャネルＣｈ１〜Ｃｈ１４のうちのいずれのチャネルを用いていても、無線基地局２は、複数の起動用プローブリクエストを受信できる。【０１１８】
また、ステップＳ２においては、複数の起動用プローブリクエストを無線ＬＡＮのアクティブスキャンにおける管理フレームとして送信する。従って、端末装置１は、無線フレームを送信できないときでも、接続先の無線基地局２を起動状態へ移行させることができる。また、端末装置１の装置構成を変化させずに、接続先の無線基地局２を起動状態へ移行させることができる。【０１１９】
更に、無線基地局２は、複数のフレーム長が自己の識別子に一致するとき、スリープ状態から起動状態へ移行する（ステップＳ８の“ＹＥＳ”，ステップＳ９参照）。【０１２０】
従って、無線基地局２を起動状態へ正確に移行させることができる。即ち、無線基地局２の識別子を１つのフレーム長によって表わした場合、無線基地局２は、１つのフレーム長を有する１つの起動用プローブリクエストを端末装置１から受信して１つの起動用プローブリクエストのフレーム長を検出する。【０１２１】
しかし、起動用プローブリクエストのフレーム長が無線通信によって変化した場合、無線基地局２は、起動用プローブリクエストの正しいフレーム長を検出できないので、起動状態へ移行できない。【０１２２】
実施の形態１においては、無線基地局２は、複数の起動用プローブリクエストの複数のフレーム長を検出した場合に起動状態へ移行するので、無線基地局２を起動状態へ正確に移行させることができる。つまり、実施の形態１においては、１つのフレーム長のみならず、複数のフレーム長の検出を条件として無線基地局２を起動状態へ移行させるので、無線基地局２を起動状態へ正確に移行させることができる。【０１２３】
複数の起動用プローブリクエストが図８の（ａ）に示す方法で送信された場合、無線基地局２は、ステップＳ３〜ステップＳ８を２回以上実行する。そして、無線基地局２は、複数のフレーム長が無線基地局２の識別子に一致することを２回以上（＝複数回）確認すると、起動状態へ移行する。【０１２４】
これによって、無線基地局２の起動状態への移行における信頼性を向上できる。【０１２５】
また、複数の起動用プローブリクエストが図８の（ｂ）に示す方法で送信された場合、無線基地局２は、フレーム長が変化したときだけ、そのときに受信した起動用プローブリクエストのフレーム長を無線基地局２の識別子の対象とし、フレーム長が変化しないときに受信した起動用プローブリクエストのフレーム長を無視する。つまり、無線基地局２は、１つ前に検出したフレーム長と異なるフレーム長を検出したとき、その検出したフレーム長を自己の識別子を表わす複数のフレーム長の１つとする。これによって、無線基地局２は、迅速に起動状態へ移行できる。【０１２６】
［実施の形態２］
図１０は、図１に示す端末装置１の実施の形態２における構成を示す概略図である。実施の形態２においては、端末装置１は、図１０に示す端末装置１Ａからなる。【０１２７】
図１０を参照して、端末装置１Ａは、図２に示す端末装置１のホストシステム１３をホストシステム１３Ａに代えたものであり、その他は、端末装置１と同じである。【０１２８】
ホストシステム１３Ａは、起動状態へ移行させたい無線基地局の識別子を表わすＥＳＳＩＤ群（一部がダミーＥＳＳＩＤである複数のネットワーク識別子からなる）を予め保持している。【０１２９】
そして、ホストシステム１３Ａは、無線基地局を起動状態へ移行させる場合、後述する方法によって、ＥＳＳＩＤ群に基づいて１つ以上の差分フレーム長が無線基地局の識別子を表わすように複数のフレーム長を決定し、その決定した複数のフレーム長をフレーム長変調信号生成部１２へ出力する。【０１３０】
ホストシステム１３Ａは、その他、ホストシステム１３と同じ機能を果たす。【０１３１】
図１１は、図１に示す無線基地局２の実施の形態２における構成を示す概略図である。【０１３２】
実施の形態２においては、無線基地局２は、図１１に示す無線基地局２Ａからなる。図１１を参照して、無線基地局２Ａは、図３に示す無線基地局２のウェイクアップ信号受信機２３をウェイクアップ信号受信機２３Ａに代えたものであり、その他は、無線基地局２と同じである。【０１３３】
ウェイクアップ信号受信機２３Ａは、電源２５から１００μＷの電力を受け、その受けた電力によって駆動される。【０１３４】
また、ウェイクアップ信号受信機２３Ａは、メイン装置２４がスリープ状態にあるとき、切替器２２を介してアンテナ２１に接続される。そして、ウェイクアップ信号受信機２３Ａは、アンテナ２１を介して端末装置１Ａから複数の起動用プローブリクエストＰＲＱＤ１〜ＰＲＱＤｎを全チャネルＣｈ１〜Ｃｈ１４のうちのいずれかのチャネルで受信すると、その受信した複数の起動用プローブリクエストＰＲＱＤ１〜ＰＲＱＤｎの複数のフレーム長に基づいて１つ以上の差分フレーム長を検出し、その検出した１つ以上の差分フレーム長が無線基地局２Ａの識別子に一致するか否かを判定する。ウェイクアップ信号受信機２３Ａは、１つ以上の差分フレーム長が無線基地局２Ａの識別子に一致すると判定したとき、起動信号を生成し、その生成した起動信号をメイン装置２４へ出力する。【０１３５】
ウェイクアップ信号受信機２３Ａは、その他、ウェイクアップ信号受信機２３と同じ機能を果たす。【０１３６】
なお、ウェイクアップ信号受信機２３Ａは、無線基地局２Ａをウェイクアップさせるための複数の起動用プローブリクエストＰＲＱＤ１〜ＰＲＱＤｎを受信する機能のみを有し、無線ＬＡＮにおける無線フレームを送信する機能を有しない。【０１３７】
図１２は、図１１に示すウェイクアップ信号受信機２３Ａの構成を示す概略図である。【０１３８】
図１２を参照して、ウェイクアップ信号受信機２３Ａは、図４に示すウェイクアップ信号受信機２３のフレーム長検出器２３４をフレーム長検出器２３４Ａに代え、ＩＤ識別器２３５をＩＤ識別器２３５Ａに代えたものであり、その他は、ウェイクアップ信号受信機２３と同じである。【０１３９】
フレーム長検出器２３４Ａは、複数のビット列をビット判定器２３３から受けると、フレーム長検出器２３４と同じ方法によって、複数のフレーム長を検出する。そして、フレーム長検出器２３４Ａは、後述する方法によって、複数のフレーム長に基づいて複数の差分フレーム長を検出し、その検出した複数の差分フレーム長をＩＤ識別器２３５Ａへ出力する。【０１４０】
ＩＤ識別器２３５Ａは、１つ以上の差分フレーム長をフレーム長検出器２３４Ａから受けると、１つ以上の差分フレーム長が無線基地局２Ａの識別子に一致するか否かを判定する。そして、１つ以上の差分フレーム長が無線基地局２Ａの識別子に一致するとき、ＩＤ識別器２３５Ａは、起動信号を生成してホストシステム２４３へ出力する。一方、１つ以上の差分フレーム長が無線基地局２Ａの識別子に一致しないとき、ＩＤ識別器２３５Ａは、１つ以上の差分フレーム長を破棄する。【０１４１】
図１３は、無線基地局の識別子を差分フレーム長によって表わす方法を示す図である。なお、図１３においては、差分フレーム長をバイト数によって表わす。【０１４２】
図１３を参照して、端末装置１Ａのホストシステム１３Ａは、無線基地局２Ａの識別子がＥＳＳＩＤ群（＝ダミーＥＳＳＩＤ４＝２Ｂｙｔｅ，ダミーＥＳＳＩＤ５＝４Ｂｙｔｅ，ＥＳＳＩＤ６＝２Ｂｙｔｅ）によって表わされるとき、Ｌ１のフレーム長、Ｌ１＋２Ｂｙｔｅのフレーム長、Ｌ１＋６Ｂｙｔｅのフレーム長およびＬ１＋４Ｂｙｔｅのフレーム長を決定し、その決定したＬ１のフレーム長、Ｌ１＋２Ｂｙｔｅのフレーム長、Ｌ１＋６Ｂｙｔｅのフレーム長およびＬ１＋４Ｂｙｔｅのフレーム長をフレーム長変調信号生成部１２へ出力する。【０１４３】
そして、フレーム長変調信号生成部１２は、Ｌ１のフレーム長を有する起動用プローブリクエストＰＲＱＤ１、Ｌ１＋２Ｂｙｔｅのフレーム長を有する起動用プローブリクエストＰＲＱＤ２、Ｌ１＋６Ｂｙｔｅのフレーム長を有する起動用プローブリクエストＰＲＱＤ３およびＬ１＋４Ｂｙｔｅのフレーム長を有する起動用プローブリクエストＰＲＱＤ４を順次送信する。【０１４４】
その結果、起動用プローブリクエストＰＲＱＤ１と起動用プローブリクエストＰＲＱＤ２との差分フレーム長は、｜Ｌ１−（Ｌ１＋２）｜＝２Ｂｙｔｅになり、起動用プローブリクエストＰＲＱＤ２と起動用プローブリクエストＰＲＱＤ３との差分フレーム長は、｜Ｌ１＋２−（Ｌ１＋６）｜＝４Ｂｙｔｅになり、起動用プローブリクエストＰＲＱＤ３と起動用プローブリクエストＰＲＱＤ４との差分フレーム長は、｜Ｌ１＋６−（Ｌ１＋４）｜＝２Ｂｙｔｅになる。【０１４５】
従って、複数の差分フレーム長（＝２Ｂｙｔｅ，４Ｂｙｔｅ，２Ｂｙｔｅ）によって無線基地局２Ａの識別子を表わすことができる。【０１４６】
このように、差分フレーム長は、２つの起動用プローブリクエストの２つのフレーム長の差分の絶対値である。【０１４７】
図１３に示す例は、１つ前の起動用プローブリクエストとの差分フレーム長が無線基地局２Ａの識別子を表わす例であるが、実施の形態２においては、これに限らず、基準フレームとなる１つの起動用プローブリクエストを決定し、その決定した１つの起動用プローブリクエストのフレーム長との複数の差分フレーム長が無線基地局２Ａの識別子を表わすようにしてもよい。例えば、起動用プローブリクエストＰＲＱＤ１を基準フレームとした場合、無線基地局２Ａの識別子は、２Ｂｙｔｅ，６Ｂｙｔｅ，４Ｂｙｔｅによって表わされ、２６４となる。【０１４８】
また、実施の形態２においては、複数のフレーム長から任意のフレーム長を選択し、その選択した任意のフレーム長と複数のフレーム長との差分を演算して複数の差分フレーム長を求めてもよい。【０１４９】
なお、実施の形態２においては、無線基地局２Ａの識別子を１つの差分フレーム長によって表わしてもよい。無線基地局２Ａの識別子を１つの差分フレーム長によって表わす場合、無線基地局２Ａは、２個の起動用プローブリクエストを受信し、その受信した２個の起動用プローブリクエストの２個のフレーム長を検出する。そして、無線基地局２Ａは、その検出した２個のフレーム長に基づいて１つの差分フレーム長を検出し、その検出した差分フレーム長が自己の識別子に一致するとき、起動状態へ移行する。【０１５０】
このように、無線基地局２Ａの識別子を１つの差分フレーム長によって表わした場合も、無線基地局２Ａは、２個のフレーム長を検出するので、複数のフレーム長を検出することを条件に、無線基地局２Ａを起動状態へ移行させるという本発明の主旨に合致する。【０１５１】
従って、実施の形態２においては、無線基地局２Ａの識別子を１つ以上の差分フレーム長によって表わす。【０１５２】
図１４は、ＥＳＳＩＤの文字数と差分フレーム長との変換表を示す図である。図１４を参照して、変換表ＴＢＬ２は、ＥＳＳＩＤの文字数と差分フレーム長とを含む。ＥＳＳＩＤの文字数および差分フレーム長は、相互に対応付けられる。【０１５３】
０μｓの差分フレーム長ΔＬは、ＥＳＳＩＤの文字数＝０Ｂｙｔｅに対応付けられ、８μｓの差分フレーム長ΔＬは、ＥＳＳＩＤの文字数＝１Ｂｙｔｅに対応付けられ、１６μｓの差分フレーム長ΔＬは、ＥＳＳＩＤの文字数＝２Ｂｙｔｅに対応付けられ、以下、同様にして、２４８μｓの差分フレーム長ΔＬは、ＥＳＳＩＤの文字数＝３１Ｂｙｔｅに対応付けられ、２５６μｓの差分フレーム長ΔＬは、ＥＳＳＩＤの文字数＝３２Ｂｙｔｅに対応付けられる。【０１５４】
端末装置１Ａのホストシステム１３Ａは、変換表ＴＢＬ２を保持している。【０１５５】
ホストシステム１３Ａは、ＥＳＳＩＤ群が［ダミーＥＳＳＩＤ１＝１Ｂｙｔｅ，ダミーＥＳＳＩＤ２＝５Ｂｙｔｅ，ＥＳＳＩＤ３＝８Ｂｙｔｅ］からなる場合、変換表ＴＢＬ２を参照して、ＥＳＳＩＤ群＝［ダミーＥＳＳＩＤ１＝１Ｂｙｔｅ，ダミーＥＳＳＩＤ２＝５Ｂｙｔｅ，ＥＳＳＩＤ３＝８Ｂｙｔｅ］に基づいて、Ｌ１のフレーム長、Ｌ１＋８μｓのフレーム長、Ｌ１＋４８μｓおよびＬ１＋１１２μｓのフレーム長を決定する。【０１５６】
この場合、差分フレーム長は、１つ前のフレーム長との差分フレーム長である。【０１５７】
ホストシステム１３Ａは、ＥＳＳＩＤ群が［ダミーＥＳＳＩＤ１＝１Ｂｙｔｅ，ダミーＥＳＳＩＤ２＝５Ｂｙｔｅ，ＥＳＳＩＤ３＝８Ｂｙｔｅ］以外からなる場合も、同様にして複数のフレーム長を決定する。【０１５８】
図１５は、図１に示す無線通信システム１０の実施の形態２における動作を示すフローチャートである。【０１５９】
なお、図１５においては、ＥＳＳＩＤ群が［ダミーＥＳＳＩＤ１＝１Ｂｙｔｅ，ダミーＥＳＳＩＤ２＝５Ｂｙｔｅ，ＥＳＳＩＤ３＝８Ｂｙｔｅ］からなる場合を例にして無線通信システム１０における動作を説明する。【０１６０】
図１５に示すフローチャートは、図９に示すフローチャートのステップＳ２をステップＳ２Ａに代え、ステップＳ８をステップＳ８Ａ，Ｓ８Ｂに代えたものであり、その他は、図９に示すフローチャートと同じである。【０１６１】
図１５を参照して、一連の動作が開始されると、上述したステップＳ１が実行される。【０１６２】
そして、端末装置１Ａは、ＥＳＳＩＤ群に基づいて、１つ以上の差分フレーム長が無線基地局２Ａの識別子を表わすように複数の起動用プローブリクエストを作成し、複数の起動用プローブリクエストを無線ＬＡＮのアクティブスキャンにおける管理フレームとして全チャネルで送信する（ステップＳ２Ａ）。【０１６３】
より具体的には、端末装置１Ａのホストシステム１３Ａは、ＥＳＳＩＤ群＝［ダミーＥＳＳＩＤ１＝１Ｂｙｔｅ，ダミーＥＳＳＩＤ２＝５Ｂｙｔｅ，ＥＳＳＩＤ３＝８Ｂｙｔｅ］に基づいて、Ｌ１のフレーム長、Ｌ１＋８μｓのフレーム長、Ｌ１＋４８μｓのフレーム長およびＬ１＋１１２μｓのフレーム長を決定し、その決定した複数のフレーム長Ｌ１，Ｌ１＋８μｓ，Ｌ１＋４８μｓ，Ｌ１＋１１２μｓをフレーム長変調信号生成部１２へ出力する。そして、フレーム長変調信号生成部１２は、複数のフレーム長Ｌ１，Ｌ１＋８μｓ，Ｌ１＋４８μｓ，Ｌ１＋１１２μｓに基づいて複数の起動用プローブリクエストを生成し、その生成した複数の起動用プローブリクエストをアンテナ１１を介して全チャネルで送信する。この場合、端末装置１Ａは、複数の起動用プローブリクエストを図８の（ａ）に示す方法または図８の（ｂ）に示す方法で送信する。【０１６４】
その後、上述したステップＳ３〜Ｓ７が順次実行される。そして、ステップＳ７の後、無線基地局２Ａのフレーム長検出器２３４Ａは、複数のフレーム長に基づいて１つ以上の差分フレーム長（＝８μｓ，４０μｓ，６４μｓ）を検出する（ステップＳ８Ａ）。【０１６５】
ＩＤ識別器２３５Ａは、１つ以上の差分フレーム長をフレーム長検出器２３４Ａから受け、その受けた１つ以上の差分フレーム長が無線基地局２Ａの識別子に一致するか否かを判定する（ステップＳ８Ｂ）。【０１６６】
そして、ステップＳ８Ｂにおいて、１つ以上の差分フレーム長が無線基地局２Ａの識別子に一致すると判定されたとき、上述したステップＳ９が実行される。【０１６７】
一方、１つ以上の差分フレーム長が無線基地局２Ａの識別子に一致しないとき、一連の動作は、終了する。【０１６８】
このように、端末装置１Ａは、無線基地局２Ａの識別子を１つ以上の差分フレーム長によって表わすように複数の起動用プローブリクエストを生成して全チャネルで送信する（ステップＳ２Ａ参照）。また、無線基地局２Ａは、複数の起動用プローブリクエストの受信電波に基づいて複数の起動用プローブリクエストの複数のフレーム長を検出し、その検出した複数のフレーム長に基づいて１つ以上の差分フレーム長を検出する（ステップＳ３〜Ｓ７，Ｓ８Ａ参照）。そして、無線基地局２Ａは、１つ以上の差分フレーム長が自己の識別子に一致するか否かを判定し、１つ以上の差分フレーム長が自己の識別子に一致するとき、起動状態へ移行する（ステップＳ８Ｂ，Ｓ９参照）。【０１６９】
従って、複数の起動用プローブリクエストの複数のフレーム長が無線通信によって変化した場合、複数のフレーム長が同じように変化するので、１つ以上の差分フレーム長は、無線基地局２Ａにおいて正確に検出される。その結果、無線基地局２Ａを正確に起動できる。【０１７０】
上述したように、無線基地局２Ａの識別子を３個の差分フレーム長によって表わす場合、端末装置１Ａは、４個の起動用プローブリクエストを送信する。従って、無線基地局２Ａの識別子をｊ（ｊは１以上の整数）個の差分フレーム長によって表わす場合、端末装置１Ａは、ｊ＋１個の起動用プローブリクエストを送信する。【０１７１】
図１６は、図１に示す端末装置１の実施の形態２における他の構成を示す概略図である。【０１７２】
実施の形態２においては、端末装置１は、図１６に示す端末装置１Ｂからなっていてもよい。【０１７３】
図１６を参照して、端末装置１Ｂは、図２に示す端末装置１のホストシステム１３をホストシステム１３Ｂに代えたものであり、その他は、端末装置１と同じである。【０１７４】
ホストシステム１３Ｂは、起動状態へ移行させたい無線基地局の識別子を表わすＥＳＳＩＤ群（一部がダミーＥＳＳＩＤである複数のネットワーク識別子からなる）を予め保持している。【０１７５】
そして、ホストシステム１３Ｂは、無線基地局を起動状態へ移行させる場合、後述する方法によって、ＥＳＳＩＤ群（一部がダミーＥＳＳＩＤである複数のネットワーク識別子からなる）に基づいて１つ以上の差分フレーム長／基準値が無線基地局の識別子を表わすように複数のフレーム長を決定し、その決定した複数のフレーム長をフレーム長変調信号生成部１２へ出力する。【０１７６】
ホストシステム１３Ｂは、その他、ホストシステム１３と同じ機能を果たす。【０１７７】
図１７は、図１に示す無線基地局２の実施の形態２における他の構成を示す概略図である。【０１７８】
実施の形態２においては、無線基地局２は、図１７に示す無線基地局２Ｂからなっていてもよい。図１７を参照して、無線基地局２Ｂは、図３に示す無線基地局２のウェイクアップ信号受信機２３をウェイクアップ信号受信機２３Ｂに代えたものであり、その他は、無線基地局２と同じである。【０１７９】
ウェイクアップ信号受信機２３Ｂは、電源２５から１００μＷの電力を受け、その受けた電力によって駆動される。【０１８０】
また、ウェイクアップ信号受信機２３Ｂは、メイン装置２４がスリープ状態にあるとき、切替器２２を介してアンテナ２１に接続される。そして、ウェイクアップ信号受信機２３Ｂは、アンテナ２１を介して端末装置１Ｂから複数の起動用プローブリクエストＰＲＱＤ１〜ＰＲＱＤｎを全チャネルＣｈ１〜Ｃｈ１４のうちのいずれかのチャネルで受信すると、その受信した複数の起動用プローブリクエストＰＲＱＤ１〜ＰＲＱＤｎの複数のフレーム長の複数の差分フレーム長を検出し、その検出した複数の差分フレーム長に基づいて１つ以上の差分フレーム長／基準値を検出する。その後、ウェイクアップ信号受信機２３Ｂは、１つ以上の差分フレーム長／基準値が無線基地局２Ｂの識別子に一致するか否かを判定する。ウェイクアップ信号受信機２３Ｂは、１つ以上の差分フレーム長／基準値が無線基地局２Ｂの識別子に一致すると判定したとき、起動信号を生成し、その生成した起動信号をメイン装置２４へ出力する。一方、１つ以上の差分フレーム長／基準値が無線基地局２Ｂの識別子に一致しないと判定されたとき、ウェイクアップ信号受信機２３Ｂは、１つ以上の差分フレーム長／基準値を破棄する。【０１８１】
ウェイクアップ信号受信機２３Ｂは、その他、ウェイクアップ信号受信機２３と同じ機能を果たす。【０１８２】
なお、ウェイクアップ信号受信機２３Ｂは、無線基地局２Ｂをウェイクアップさせるための複数の起動用プローブリクエストＰＲＱＤ１〜ＰＲＱＤｎを受信する機能のみを有し、無線ＬＡＮにおける無線フレームを送信する機能を有しない。【０１８３】
図１８は、図１７に示すウェイクアップ信号受信機２３Ｂの構成を示す概略図である。【０１８４】
図１８を参照して、ウェイクアップ信号受信機２３Ｂは、図４に示すウェイクアップ信号受信機２３のフレーム長検出器２３４をフレーム長検出器２３４Ｂに代え、ＩＤ識別器２３５をＩＤ識別器２３５Ｂに代えたものであり、その他は、ウェイクアップ信号受信機２３と同じである。【０１８５】
フレーム長検出器２３４Ｂは、複数のビット列をビット判定器２３３から受けると、フレーム長検出器２３４Ａと同じ方法によって、複数の差分フレーム長を検出する。そして、フレーム長検出器２３４Ｂは、後述する方法によって、複数の差分フレーム長に基づいて１つ以上の差分フレーム長／基準値を検出し、その検出した１つ以上の差分フレーム長／基準値をＩＤ識別器２３５Ｂへ出力する。【０１８６】
ＩＤ識別器２３５Ｂは、１つ以上の差分フレーム長／基準値をフレーム長検出器２３４Ｂから受けると、その受けた１つ以上の差分フレーム長／基準値が無線基地局２Ｂの識別子に一致するか否かを判定する。そして、１つ以上の差分フレーム長／基準値が無線基地局２Ｂの識別子に一致するとき、ＩＤ識別器２３５Ｂは、起動信号を生成してホストシステム２４３へ出力する。一方、１つ以上の差分フレーム長／基準値が無線基地局２Ｂの識別子に一致しないとき、ＩＤ識別器２３５Ｂは、１つ以上の差分フレーム長／基準値を破棄する。【０１８７】
図１９は、無線基地局の識別子を差分フレーム長／基準値によって表わす方法を示す図である。なお、図１９においては、差分フレーム長をバイト数によって表わす。【０１８８】
図１９を参照して、端末装置１Ｂのホストシステム１３Ｂは、無線基地局２Ｂの識別子がＥＳＳＩＤ群（＝ダミーＥＳＳＩＤ１＝１Ｂｙｔｅ，ダミーＥＳＳＩＤ２＝４Ｂｙｔｅ，ＥＳＳＩＤ３＝２Ｂｙｔｅ）によって表わされるとき、Ｌ１のフレーム長、Ｌ１＋２ａのフレーム長、Ｌ１＋４ａのフレーム長、Ｌ１＋１２ａのフレーム長およびＬ１＋２８ａのフレーム長を決定し、その決定したＬ１のフレーム長、Ｌ１＋２ａのフレーム長、Ｌ１＋４ａのフレーム長、Ｌ１＋１２ａのフレーム長およびＬ１＋２８ａのフレーム長をフレーム長変調信号生成部１２へ出力する。【０１８９】
そして、フレーム長変調信号生成部１２は、Ｌ１のフレーム長を有する起動用プローブリクエストＰＲＱＤ１１、Ｌ１＋２ａのフレーム長を有する起動用プローブリクエストＰＲＱＤ１２、Ｌ１＋４ａのフレーム長を有する起動用プローブリクエストＰＲＱＤ１３、Ｌ１＋１２ａのフレーム長を有する起動用プローブリクエストＰＲＱＤ１４およびＬ１＋２８ａのフレーム長を有する起動用プローブリクエストＰＲＱＤ１５を順次送信する。【０１９０】
その結果、起動用プローブリクエストＰＲＱＤ１１と起動用プローブリクエストＰＲＱＤ１２との差分フレーム長は、｜Ｌ１−（Ｌ１＋２ａ）｜＝２ａになり、起動用プローブリクエストＰＲＱＤ１２と起動用プローブリクエストＰＲＱＤ１３との差分フレーム長は、｜Ｌ１＋２ａ−（Ｌ１＋４ａ）｜＝２ａになり、起動用プローブリクエストＰＲＱＤ１３と起動用プローブリクエストＰＲＱＤ１４との差分フレーム長は、｜Ｌ１＋４ａ−（Ｌ１＋１２ａ）｜＝８ａになり、起動用プローブリクエストＰＲＱＤ１４と起動用プローブリクエストＰＲＱＤ１５との差分フレーム長は、｜Ｌ１＋１２ａ−（Ｌ１＋２８ａ）｜＝１６ａになる。【０１９１】
そして、１つ前の差分フレーム長を基準値とした場合、２つの差分フレーム長２ａ，２ａにおける差分フレーム長／基準値＝２ａ／２ａ＝１となり、２つの差分フレーム長２ａ，８ａにおける差分フレーム長／基準値＝８ａ／２ａ＝４となり、２つの差分フレーム長８ａ，１６ａにおける差分フレーム長／基準値＝１６ａ／８ａ＝２となる。【０１９２】
従って、複数の差分フレーム長／基準値（＝１Ｂｙｔｅ，４Ｂｙｔｅ，２Ｂｙｔｅ）によって無線基地局２Ｂの識別子を表わすことができる。【０１９３】
図１９に示す例は、１つ前の差分フレーム長が基準値である例であるが、実施の形態２においては、これに限らず、複数の差分フレーム長のうちの任意の１つの差分フレーム長を基準値として決定し、その決定した基準値によって複数の差分フレーム長を除算した複数の差分フレーム長／基準値が無線基地局２Ｂの識別子を表わすようにしてもよい。例えば、１番目の差分フレーム長を基準値とした場合、無線基地局２Ｂの識別子は、１Ｂｙｔｅ，４Ｂｙｔｅ，８Ｂｙｔｅの３個の文字数によって表わされ、１４８となる。【０１９４】
なお、実施の形態２においては、無線基地局２Ｂの識別子を１つの差分フレーム長／基準値によって表わしてもよい。無線基地局２Ｂの識別子を１つの差分フレーム長／基準値によって表わす場合、無線基地局２Ｂは、３個の起動用プローブリクエストを受信し、その受信した３個の起動用プローブリクエストの３個のフレーム長を検出する。そして、無線基地局２Ｂは、その検出した３個のフレーム長に基づいて２個の差分フレーム長を検出し、その検出した２個の差分フレーム長に基づいて１個の差分フレーム長／基準値を検出し、その検出した１個の差分フレーム長／基準値が自己の識別子に一致するとき、起動状態へ移行する。【０１９５】
このように、無線基地局２Ｂの識別子を１つの差分フレーム長／基準値によって表わした場合も、無線基地局２Ｂは、３個のフレーム長を検出するので、複数のフレーム長を検出することを条件に、無線基地局２Ｂを起動状態へ移行させるという本発明の主旨に合致する。【０１９６】
従って、実施の形態２においては、無線基地局２Ｂの識別子を１つ以上の差分フレーム長／基準値によって表わす。【０１９７】
図２０は、ＥＳＳＩＤの文字数と差分フレーム長／基準値との変換表を示す図である。【０１９８】
図２０を参照して、変換表ＴＢＬ３は、ＥＳＳＩＤの文字数と差分フレーム長／基準値とを含む。ＥＳＳＩＤの文字数および差分フレーム長／基準値は、相互に対応付けられる。【０１９９】
“０”〜“３２”からなる差分フレーム長／基準値は、それぞれ、“０”〜“３２”からなるＥＳＳＩＤの文字数に対応付けられる。【０２００】
ＥＳＳＩＤを“０”〜“３２”の文字数で表した場合、文字数が“３２”Ｂｙｔｅであるときのフレーム長は、上述したように、３２Ｂｙｔｅ×８μｓ＝２５６μｓであり、文字数が“０”Ｂｙｔｅであるときのフレーム長は、０Ｂｙｔｅ×８μｓ＝０μｓである。【０２０１】
その結果、２つの起動用プローブリクエストＰＲＱＤ間において、最大の差分フレーム長は、２５６μｓ−０μｓ＝２５６μｓであり、最小の差分フレーム長は、２つの起動用プローブリクエストＰＲＱＤの２つのフレーム長が同じ場合であり、０μｓである。【０２０２】
そうすると、差分フレーム長／基準値の最大値は、２５６μｓ／８μｓ＝３２であり、差分フレーム長／基準値の最小値は、差分フレーム長＝０の場合であり、０である。【０２０３】
そこで、変換表ＴＢＬ３に示すように、“０”〜“３２”からなるＥＳＳＩＤの文字数にそれぞれ“０”〜“３２”からなる差分フレーム長／基準値を割り当てることにした。【０２０４】
但し、図１９において、１つ前の差分を基準値として差分フレーム長／基準値を演算する方式に差分フレーム長／基準値＝０を用いることはできない。差分フレーム長＝０が基準値になる場合もあり、その場合、差分フレーム長／基準値が無限大になるからである。【０２０５】
しかし、図１９において、基準値を１つの差分フレーム長に固定して差分フレーム長／基準値を演算する方式に差分フレーム長／基準値＝０を用いことができる。即ち、“０”以外の値からなる差分フレーム長に基準値を固定した場合には、差分フレーム長／基準値＝０を用いことができる。【０２０６】
従って、変換表ＴＢＬ３においては、差分フレーム長／基準値＝０を含めることにした。【０２０７】
なお、端末装置２Ｂのホストシステム１３Ｂは、変換表ＴＢＬ３を保持している。そして、端末装置２Ｂのホストシステム１３Ｂは、変換表ＴＢＬ３を参照して、ＥＳＳＩＤ群に基づいて、１つ以上の差分フレーム長／基準値が無線基地局２Ｂの識別子を表わすように複数のフレーム長を決定し、その決定した複数のフレーム長をフレーム長変調信号生成部１２へ出力する。【０２０８】
また、無線基地局２ＢのＩＤ識別器２３５Ｂは、フレーム長検出器２３４Ｂから受けた１つ以上の差分フレーム長／基準値が無線基地局２Ｂの識別子に一致するか否かを判定する。そして、１つ以上の差分フレーム長／基準値が無線基地局２Ｂの識別子に一致するとき、ＩＤ識別器２３５Ｂは、起動信号を生成してホストシステム２４３へ出力する。一方、１つ以上の差分フレーム長／基準値が無線基地局２Ｂの識別子に一致しないとき、ＩＤ識別器２３５Ｂは、１つ以上の差分フレーム長／基準値を破棄する。【０２０９】
図２１は、図１に示す無線通信システム１０の実施の形態２における別の動作を示すフローチャートである。【０２１０】
なお、図２１においては、無線基地局２Ｂの識別子がＥＳＳＩＤ群（＝ダミーＥＳＳＩＤ１＝ａ（１Ｂｙｔｅ），ダミーＥＳＳＩＤ２＝ａｂｃｄ（４Ｂｙｔｅ），ＥＳＳＩＤ３＝ａｂ（２Ｂｙｔｅ））によって表わされる場合を例にして無線通信システム１０の動作を説明する。【０２１１】
図２１に示すフローチャートは、図９に示すフローチャートのステップＳ２をステップＳ２Ｂに代え、ステップＳ８をステップＳ８Ｃ，Ｓ８Ｄに代えたものであり、その他は、図９に示すフローチャートと同じである。【０２１２】
図２１を参照して、一連の動作が開始されると、上述したステップＳ１が実行される。そして、端末装置１Ｂは、ＥＳＳＩＤ群に基づいて、１つ以上の差分フレーム長／基準値が無線基地局２Ｂの識別子（＝１４２）を表すように複数の起動用プローブリクエストＰＲＱＤ１１〜ＰＲＱＤ１５を作成し、複数の起動用プローブリクエストＰＲＱＤ１１〜ＰＲＱＤ１５を無線ＬＡＮのアクティブスキャンにおける管理フレームとして全チャネルで送信する（ステップＳ２Ｂ）。【０２１３】
この場合、起動用プローブリクエストＰＲＱＤ１１のフレーム長は、Ｌ１からなり、起動用プローブリクエストＰＲＱＤ１２のフレーム長は、Ｌ１＋１６μｓからなり、起動用プローブリクエストＰＲＱＤ１３のフレーム長は、Ｌ１＋３２μｓからなり、起動用プローブリクエストＰＲＱＤ１４のフレーム長は、Ｌ１＋９６μｓからなり、起動用プローブリクエストＰＲＱＤ１５のフレーム長は、Ｌ１＋２２４μｓからなる。【０２１４】
ステップＳ２Ｂの後、上述したステップＳ３〜ステップＳ７が順次実行される。そして、ステップＳ７の後、無線基地局２Ｂのフレーム長検出器２３４Ｂは、複数のフレーム長に基づいて複数の差分フレーム長を検出し、その検出した複数の差分フレーム長に基づいて１つ以上の差分フレーム長／基準値を演算する（ステップＳ８Ｃ）。【０２１５】
この場合、フレーム長検出器２３４Ｂは、起動用プローブリクエストＰＲＱＤ１１のフレーム長Ｌ１、起動用プローブリクエストＰＲＱＤ１２のフレーム長Ｌ１＋１６μｓ、起動用プローブリクエストＰＲＱＤ１３のフレーム長Ｌ１＋３２μｓ、起動用プローブリクエストＰＲＱＤ１４のフレーム長Ｌ１＋９６μｓ、および起動用プローブリクエストＰＲＱＤ１５のフレーム長Ｌ１＋２２４μｓを検出する。【０２１６】
そして、フレーム長検出器２３４Ｂは、差分フレーム長＝｜Ｌ１−（Ｌ１＋１６μｓ）｜＝１６μｓ、差分フレーム長＝｜Ｌ１＋１６μｓ−（Ｌ１＋３２μｓ）｜＝１６μｓ、差分フレーム長＝｜Ｌ１＋３２μｓ−（Ｌ１＋９６μｓ）｜＝６４μｓ、および差分フレーム長＝｜Ｌ１＋９６μｓ−（Ｌ１＋２２４μｓ）｜＝１２８μｓを検出する。【０２１７】
そうすると、フレーム長検出器２３４Ｂは、差分フレーム長／基準値＝１６μｓ／１６μｓ＝１、差分フレーム長／基準値＝６４μｓ／１６μｓ＝４および差分フレーム長／基準値＝１２８μｓ／６４μｓ＝２を演算する。【０２１８】
フレーム長検出器２３４Ｂは、１つ以上の差分フレーム長／基準値を演算すると、その演算した１つ以上の差分フレーム長／基準値をＩＤ識別器２３５Ｂへ出力する。【０２１９】
ＩＤ識別器２３５Ｂは、１つ以上の差分フレーム長／基準値をフレーム長検出器２３４Ｂから受け、その受けた１つ以上の差分フレーム長／基準値が無線基地局２Ｂの識別子に一致するか否かを判定する（ステップＳ８Ｄ）。【０２２０】
ステップＳ８Ｄにおいて、１つ以上の差分フレーム長／基準値が無線基地局２Ｂの識別子に一致すると判定されたとき、上述したステップＳ９が実行される。一方、ステップＳ８Ｄにおいて、１つ以上の差分フレーム長／基準値が無線基地局２Ｂの識別子に一致しないと判定されたとき、一連の動作は、終了する。【０２２１】
図２１に示すフローチャートにおいては、複数の差分フレーム長／基準値が無線基地局２Ｂの識別子を表わすように複数の起動用プローブリクエストＰＲＱＤ１１〜ＰＲＱＤ１５を送信するので、起動用プローブリクエストＰＲＱＤ１１〜ＰＲＱＤ１５のフレーム長が変動しても、２つの差分フレーム長の比率である差分フレーム長／基準値は、一定である。【０２２２】
従って、無線基地局２Ｂを正確に起動できる。【０２２３】
なお、無線基地局２Ｂの識別子を３個の差分フレーム長／基準値で表わした場合、端末装置１Ｂは、５個の起動用プローブリクエストＰＲＱＤ１１〜ＰＲＱＤ１５を送信する。従って、無線基地局２Ｂの識別子をｊ個の差分フレーム長／基準値で表わした場合、端末装置１Ｂは、ｊ＋２個の起動用プローブリクエストを送信する。【０２２４】
実施の形態２におけるその他の説明は、実施の形態１における説明と同じである。【０２２５】
［実施の形態３］
図２２は、図１に示す端末装置１の実施の形態３における構成を示す概略図である。実施の形態３においては、端末装置１は、図２２に示す端末装置１Ｃからなる。【０２２６】
図２２を参照して、端末装置１Ｃは、図２に示す端末装置１のホストシステム１３をホストシステム１３Ｃに代え、送受信部１４および設定部１５を追加したものであり、その他は、端末装置１と同じである。【０２２７】
ホストシステム１３Ｃは、設定部１５によってＥＳＳＩＤ群が設定され、ＥＳＳＩＤ群を保持する。そして、ホストシステム１３Ｃは、無線基地局と無線通信を開始するとき、ホストシステム１３，１３Ａ，１３Ｂのいずれかと同じ方法によって複数の起動用プローブリクエストＰＲＱＤ１〜ＰＲＱＤｎの複数のフレーム長を決定し、その決定した複数のフレーム長をフレーム長変調信号生成部１２へ出力する。【０２２８】
また、ホストシステム１３Ｃは、無線基地局が起動状態にあるときに無線基地局と無線通信を開始するとき、無線基地局との間で無線通信を開始することを指示するための指示信号ＣＭＳ２を生成し、その生成した指示信号ＣＭＳ２を送受信部１４へ出力する。【０２２９】
ホストシステム１３Ｃは、その他、ホストシステム１３と同じ機能を果たす。【０２３０】
送受信部１４は、無線基地局が起動状態にあるときに指示信号ＣＭＳ２をホストシステム１３Ｃから受け、その受けた指示信号ＣＭＳ２に応じて、接続用プローブリクエストＰＲＱを無線ＬＡＮのアクティブスキャンにおける管理フレームとして生成し、その生成した接続用プローブリクエストＰＲＱをアンテナ１１を介して送信する。【０２３１】
また、送受信部１４は、接続用プローブリクエストＰＲＱを送信した後、ＥＳＳＩＤ群を暗号化した暗号化ＥＳＳＩＤ群をアンテナ１１を介して無線基地局から受信し、その受信した暗号化ＥＳＳＩＤ群を設定部１５へ出力する。【０２３２】
設定部１５は、復号鍵Ｋ＿ｄｅｃｒｙを予め保持している。設定部１５は、暗号化ＥＳＳＩＤ群を送受信部１４から受けると、その受けた暗号化ＥＳＳＩＤ群を復号鍵Ｋ＿ｄｅｃｒｙによって復号し、その復号したＥＳＳＩＤ群をホストシステム１３Ｃに設定する。【０２３３】
図２３は、図１に示す無線基地局２の実施の形態３における構成を示す概略図である。実施の形態３においては、無線基地局２は、図２３に示す無線基地局２Ｃからなる。【０２３４】
図２３を参照して、無線基地局２Ｃは、図３に示すウェイクアップ信号受信機２３をウェイクアップ信号受信機２３Ｃに代え、メイン装置２４をメイン装置２４Ａに代えたものであり、その他は、無線基地局２と同じである。【０２３５】
ウェイクアップ信号受信機２３Ｃは、電源２５から１００μＷの電力を受け、その受けた電力によって駆動される。ウェイクアップ信号受信機２３Ｃは、切替器２２を介してアンテナ２１に接続される。ウェイクアップ信号受信機２３Ｃは、無線基地局２Ｃの識別子をメイン装置２４Ａによって設定される。【０２３６】
ウェイクアップ信号受信機２３Ｃは、図４に示すウェイクアップ信号受信機２３、図１２に示すウェイクアップ信号受信機２３Ａおよび図１８に示すウェイクアップ信号受信機２３Ｂのいずれかと同じ構成からなる。即ち、ウェイクアップ信号受信機２３Ｃは、端末装置１Ｃが端末装置１からなる場合、ウェイクアップ信号受信機２３と同じ構成からなり、端末装置１Ｃが端末装置１Ａからなる場合、ウェイクアップ信号受信機２３Ａと同じ構成からなり、端末装置１Ｃが端末装置１Ｂからなる場合、ウェイクアップ信号受信機２３Ｂと同じ構成からなる。【０２３７】
そして、ウェイクアップ信号受信機２３Ｃは、アンテナ２１を介して複数の起動用プローブリクエストＰＲＱＤ１〜ＰＲＱＤｎを受信し、その受信した複数の起動用プローブリクエストＰＲＱＤ１〜ＰＲＱＤｎをウェイクアップ信号受信機２３，２３Ａ，２３Ｂのいずれかと同じ方法によって処理し、複数のフレーム長（または１つ以上の差分フレーム長または１つ以上の差分フレーム長／基準値）が無線基地局２Ｃの識別子に一致するとき、起動信号を生成してメイン装置２４Ａへ出力する。【０２３８】
メイン装置２４Ａは、電源２５から７Ｗの電力を受け、その受けた電力によって駆動される。メイン装置２４Ａは、切替器２２を介してアンテナ２１に接続される。メイン装置２４Ａは、暗号鍵Ｋ＿ｅｎｃｒｙを予め保持している。メイン装置２４Ａは、端末装置１Ｃからの接続用プローブリクエストＰＲＱをアンテナ２１を介して受信し、その受信した接続用プローブリクエストＰＲＱに応じて、無線基地局２Ｃの識別子（＝ＥＳＳＩＤ群）を決定し、その決定した識別子（＝ＥＳＳＩＤ群）をウェイクアップ信号受信機２３Ｃに設定する。【０２３９】
また、メイン装置２４Ａは、無線基地局２Ｃの識別子を表わすＥＳＳＩＤ群（＝一部がダミーＥＳＳＩＤである複数のＥＳＳＩＤ）を暗号鍵Ｋ＿ｅｎｃｒｙによって暗号化し、その暗号化した暗号化ＥＳＳＩＤ群をアンテナ２１を介して端末装置１Ｃへ送信する。【０２４０】
メイン装置２４Ａは、その他、メイン装置２４と同じ機能を果たす。【０２４１】
メイン装置２４Ａは、図３に示すメイン装置２４のホストシステム２４３をホストシステム２４３Ａに代えたものであり、その他は、メイン装置２４と同じである。【０２４２】
ホストシステム２４３Ａは、暗号鍵Ｋ＿ｅｎｃｒｙを予め保持している。ホストシステム２４３Ａは、端末装置１Ｃからの接続用プローブリクエストＰＲＱを無線通信モジュール２４１から受けると、その受けた接続用プローブリクエストＰＲＱに応じて、無線基地局２Ｃの識別子（＝ＥＳＳＩＤ群）を決定し、その決定した識別子（＝ＥＳＳＩＤ群）をウェイクアップ信号受信機２３Ｃに設定する。【０２４３】
また、ホストシステム２４３Ａは、無線基地局２Ｃの識別子を表わすＥＳＳＩＤ群（＝一部がダミーＥＳＳＩＤである複数のＥＳＳＩＤ）を暗号鍵Ｋ＿ｅｎｃｒｙによって暗号化し、その暗号化した暗号化ＥＳＳＩＤ群を無線通信モジュール２４１を介して端末装置１Ｃへ送信する。【０２４４】
ホストシステム２４３Ａは、その他、ホストシステム２４３と同じ機能を果たす。【０２４５】
図２４は、図１に示す無線通信システム１０の実施の形態３における動作を示すフローチャートである。【０２４６】
図２４を参照して、一連の動作が開始されると、端末装置１Ｃのホストシステム１３Ｃは、無線基地局２Ｃが起動状態であるときに無線基地局２Ｃと無線通信を開始するとき（ステップＳ１１）、指示信号ＣＭＳ２を生成して送受信部１４へ出力する。【０２４７】
送受信部１４は、指示信号ＣＭＳ２に応じて、接続用プローブリクエストＰＲＱを生成し、その生成した接続用プローブリクエストＰＲＱを無線ＬＡＮのアクティブスキャンにおいて送信する（ステップＳ１２）。【０２４８】
そして、無線基地局２Ｃの無線通信モジュール２４１は、アンテナ２１を介して接続用プローブリクエストＰＲＱを受信し（ステップＳ１３）、その受信した接続用プローブリクエストＰＲＱをホストシステム２４３Ａへ出力する。【０２４９】
ホストシステム２４３Ａは、無線通信モジュール２４１からの接続用プローブリクエストＰＲＱに応じて、ダミーＥＳＳＩＤを用いて無線基地局２Ｃの識別子を決定する（ステップＳ１４）。ホストシステム２４３Ａは、例えば、ダミーＥＳＳＩＤ１＝ａ，ダミーＥＳＳＩＤ２＝ａｂｃｄｅｆｇｈｉｊｋ，ダミーＥＳＳＩＤ３＝ａｂｃｄｅｆｇ，ＥＳＳＩＤ４＝ａｂｃからなる無線基地局２Ｃの識別子を決定する。【０２５０】
その後、ホストシステム２４３Ａは、無線基地局２Ｃの識別子（＝ダミーＥＳＳＩＤ１＝ａ，ダミーＥＳＳＩＤ２＝ａｂｃｄｅｆｇｈｉｊｋ，ダミーＥＳＳＩＤ３＝ａｂｃｄｅｆｇ，ＥＳＳＩＤ４＝ａｂｃ）をウェイクアップ信号受信機２３Ｃに設定する（ステップＳ１５）。【０２５１】
そして、ホストシステム２４３Ａは、無線基地局２Ｃの識別子を表わすＥＳＳＩＤ群（＝ダミーＥＳＳＩＤ１＝ａ，ダミーＥＳＳＩＤ２＝ａｂｃｄｅｆｇｈｉｊｋ，ダミーＥＳＳＩＤ３＝ａｂｃｄｅｆｇ，ＥＳＳＩＤ４＝ａｂｃ）を暗号鍵Ｋ＿ｅｎｃｒｙによって暗号化し、その暗号化した暗号化ＥＳＳＩＤ群を無線通信モジュール２４１へ出力し、無線通信モジュール２４１は、暗号化ＥＳＳＩＤ群を端末装置１Ｃへ送信する（ステップＳ１６）。【０２５２】
端末装置１Ｃの送受信部１４は、アンテナ１１を介して暗号化ＥＳＳＩＤ群を受信し（ステップＳ１７）、その受信した暗号化ＥＳＳＩＤ群を設定部１５へ出力する。【０２５３】
設定部１５は、送受信部１４からの暗号化ＥＳＳＩＤ群を復号鍵Ｋ＿ｄｅｃｒｙによって復号し、その復号したＥＳＳＩＤ群（＝ダミーＥＳＳＩＤ１＝ａ，ダミーＥＳＳＩＤ２＝ａｂｃｄｅｆｇｈｉｊｋ，ダミーＥＳＳＩＤ３＝ａｂｃｄｅｆｇ，ＥＳＳＩＤ４＝ａｂｃ）をホストシステム１３Ｃに設定する（ステップＳ１８）。【０２５４】
そして、端末装置１Ｃおよび無線基地局２Ｃは、動作を停止する（ステップＳ１９）。つまり、端末装置１Ｃおよび無線基地局２Ｃは、起動状態からスリープ状態へ移行する。【０２５５】
その後、端末装置１Ｃは、無線基地局２Ｃと無線通信を開始するとき、無線基地局２Ｃをスリープ状態から起動状態へ移行させる（ステップＳ２０）。この場合、ステップＳ２０の動作は、図９に示すフローチャート、図１５に示すフローチャートおよび図２１に示すフローチャートのいずれかのフローチャートに従って実行される。【０２５６】
これによって、一連の動作は、終了する。【０２５７】
このように、端末装置１Ｃおよび無線基地局２Ｃは、ＥＳＳＩＤ群を自動設定する。【０２５８】
従って、物理層およびＭＡＣ層よりも上位で実行される上位ソフトウェアを既存の端末装置に追加するだけでＥＳＳＩＤ群を自動設定できる。【０２５９】
実施の形態３におけるその他の説明は、実施の形態１，２における説明と同じである。【０２６０】
［実施の形態４］
図２５は、実施の形態４による無線通信システムの構成を示す概略図である。図２５を参照して、実施の形態４による無線通信システム１００は、端末装置１０１と、無線基地局１１１〜１１３とを備える。【０２６１】
端末装置１０１は、上述した端末装置１，１Ａ，１Ｂ，１Ｃのいずれかと同じ構成からなり、無線通信を開始するとき、無線基地局１１１〜１１３のいずれかの識別子を表わす複数のフレーム長を有する複数の起動用プローブリクエストＰＲＱＤ１〜ＰＲＱＤｎを送信し、無線基地局１１１〜１１３のいずれかをスリープ状態から起動状態へ移行させ、その移行させた無線基地局と無線通信を行う。【０２６２】
無線基地局１１１〜１１３は、有線ケーブル１１０によって相互に接続され、同じＥＳＳＩＤが割り当てられる。無線基地局１１１〜１１３の各々は、上述した無線基地局２，２Ａ，２Ｂ，２Ｃのいずれかと同じ構成からなる。即ち、端末装置１０１が端末装置１と同じ構成からなる場合、無線基地局１１１〜１１３の各々は、無線基地局２と同じ構成からなる。また、端末装置１０１が端末装置１Ａと同じ構成からなる場合、無線基地局１１１〜１１３の各々は、無線基地局２Ａと同じ構成からなる。更に、端末装置１０１が端末装置１Ｂと同じ構成からなる場合、無線基地局１１１〜１１３の各々は、無線基地局２Ｂと同じ構成からなる。更に、端末装置１０１が端末装置１Ｃと同じ構成からなる場合、無線基地局１１１〜１１３の各々は、無線基地局２Ｃと同じ構成からなる。【０２６３】
無線基地局１１１〜１１３の各々は、端末装置１０１から複数の起動用プローブリクエストＰＲＱＤ１〜ＰＲＱＤｎを受信し、その受信した複数の起動用プローブリクエストＰＲＱＤ１〜ＰＲＱＤｎの複数のフレーム長、複数のフレーム長に基づいて演算された１つ以上の差分フレーム長および複数のフレーム長に基づいて演算された１つ以上の差分フレーム長／基準値のいずれかが自己の識別子に一致するとき、スリープ状態から起動状態へ移行する。そして、無線基地局１１１〜１１３の各々は、端末装置１０１と無線通信を行う。【０２６４】
端末装置１０１が端末装置１，１Ａ，１Ｂのいずれかと同じ構成からなり、無線基地局１１１〜１１３の各々が無線基地局２，２Ａ，２Ｂのいずれかと同じ構成からなる場合、無線基地局１１１〜１１３の識別子を表わすＥＳＳＩＤ群は、無線通信システム１００の設計者によって、端末装置１０１および無線基地局１１１〜１１３に設定される。【０２６５】
一方、端末装置１０１が端末装置１Ｃと同じ構成からなり、無線基地局１１１〜１１３の各々が無線基地局２Ｃと同じ構成からなる場合、無線基地局１１１〜１１３の識別子を表わすＥＳＳＩＤ群は、端末装置１０１および無線基地局１１１〜１１３に自動的に設定される。【０２６６】
無線基地局１１１〜１１３は、同じＥＳＳＩＤを有するため、端末装置１０１は、同じＥＳＳＩＤの無線ＬＡＮ環境の任意の場所において無線基地局（無線基地局１１１〜１１３のいずれか）を起動させ、その起動させた無線基地局（無線基地局１１１〜１１３のいずれか）と無線通信を行うことができる。【０２６７】
また、端末装置１０１は、無線基地局１１１〜１１３のいずれかと無線通信を行っているときに移動しながら別の無線基地局を起動させることができる。通常のプローブリクエストＰＲＱは、端末装置が無線基地局に帰属中も送信可能であるため、実施の形態４においても、端末装置１０１が無線基地局１１１〜１１３のいずれかと無線通信を行っているときにも、複数の起動用プローブリクエストＰＲＱＤ１〜ＰＲＱＤｎを送信し、別の無線基地局を起動させることとした。【０２６８】
実施の形態４におけるその他の説明は、実施の形態１〜実施の形態３と同じである。【０２６９】
上記においては、ウェイクアップ信号受信機２３，２３Ａ，２３Ｂは、受信電波を包絡線検波すると説明したが、この発明の実施の形態においては、これに限らず、ウェイクアップ信号受信機２３，２３Ａ，２３Ｂは、包絡線検波に代えて、同期検波または再生検波を行ってもよく、一般的には、受信電波を検波する方法であれば、どのような方法によって受信電波を検波してもよい。【０２７０】
また、上記においては、複数の起動用プローブリクエストＰＲＱＤ１〜ＰＲＱＤｎを全チャネルで送信すると説明したが、この発明の実施の形態においては、これに限らず、複数の起動用プローブリクエストＰＲＱＤ１〜ＰＲＱＤｎを１つ以上のチャネルで送信すればよい。【０２７１】
上述した実施の形態１〜実施の形態４においては、端末装置が無線基地局に帰属していないときに無線基地局を起動させることについて説明したが、この発明の実施の形態においては、これに限らず、端末装置が他の無線装置との間で無線リンクを確立していないときに無線装置を起動させるものであればよい。例えば、アドホック無線ネットワークにおいて、送信元の無線装置が自己の周囲の無線装置を上述した方法によって起動させて無線通信を行うことが想定される。【０２７２】
また、上述した実施の形態１〜実施の形態４においては、端末装置が無線基地局をスリープ状態から起動状態へ移行させる場合について説明したが、これは、端末装置が無線基地局に対してスリープ状態から起動状態へ移行させるという制御を行うことに相当する。その結果、上述した複数の起動用プローブリクエストＰＲＱＤ１〜ＰＲＱＤｎは、複数の制御用プローブリクエストに相当する。【０２７３】
そして、この発明の実施の形態においては、端末装置は、無線基地局を制御するだけでなく、無線基地局と有線ケーブルによって接続された別の無線基地局、または無線基地局と有線ケーブルによって接続された機器を制御してもよい。この場合、端末装置は、制御対象である別の無線基地局または機器の識別子を表わす複数のフレーム長を有する複数の制御用プローブリクエストを送信し、無線基地局は、端末装置から受信した複数の制御用プローブリクエストの複数のフレーム長を検出し、複数のフレーム長、１つ以上の差分フレーム長および１つ以上の差分フレーム長／基準値のいずれかを有線ケーブルを介して別の無線基地局（または機器）へ送信するようにしてもよい。そして、端末装置から複数の制御用プローブリクエストを受信するものは、無線基地局に限らず、一般的には、無線装置であればよい。【０２７４】
従って、端末装置から複数の制御用プローブリクエストを受信する無線装置は、識別子を表わし、かつ、１つ以上のフレーム長を有する複数の制御用プローブリクエストの複数のフレーム長を検出する検出手段と、その検出された複数のフレーム長が識別子を表わすとき、制御信号を生成する制御手段とを備えていればよい。【０２７５】
更に、この発明の実施の形態においては、端末装置は、他の無線装置（無線基地局を含む）と無線リンクを確立しているときに複数の制御用プローブリクエストを送信するようにしてもよい。つまり、この発明の実施の形態においては、端末装置は、他の無線装置（無線基地局を含む）と無線リンクを確立しているか、他の無線装置（無線基地局を含む）と無線リンクを確立していないかに拘わらず、識別子を表わし、かつ、１つ以上のフレーム長を有する複数の制御用プローブリクエストをアクティブスキャンにおける管理フレームとして１つ以上のチャネルで送信するものであればよい。【０２７６】
従って、この発明の実施の形態による端末装置は、制御の開始を指示する指示信号を生成する指示手段と、指示信号を受けると、無線ＬＡＮのアクティブスキャンにおける管理フレームであるプローブリクエストを用いて、識別子を表わすとともに１つ以上のフレーム長を有する複数の制御用プローブリクエストを生成し、その生成した複数の制御用プローブリクエストをアクティブスキャンにおいて１つ以上のチャネルで送信する送信手段とを備えていればよい。【０２７７】
端末装置は、他の無線装置（無線基地局を含む）と無線リンクを確立しているときに複数の制御用プローブリクエストを送信する場合、複数の制御用プローブリクエストは、本来のＥＳＳＩＤに基づいて生成される接続用プローブリクエストを含んでいてもよい。例えば、複数の制御用プローブリクエストが４個の制御用プローブリクエストＰＲＣＴＬ１〜ＰＲＣＴＬ４からなり、ＥＳＳＩＤ群がダミーＥＳＳＩＤ１，ダミーＥＳＳＩＤ２，ダミーＥＳＳＩＤ３，ＥＳＳＩＤ４からなる場合、４個の制御用プローブリクエストＰＲＣＴＬ１〜ＰＲＣＴＬ４は、ダミーＥＳＳＩＤ１，ダミーＥＳＳＩＤ２，ダミーＥＳＳＩＤ３，ＥＳＳＩＤ４に基づいて決定された４個のフレーム長Ｌ１〜Ｌ４をそれぞれ有し、この４個のフレーム長Ｌ１〜Ｌ４によって制御対象である他の装置（無線基地局および機器等）の識別子を表わすとともに、４個目の制御用プローブリクエストＰＲＣＴＬ４は、本来のＥＳＳＩＤに基づいて決定されたフレーム長Ｌ４を有する接続用プローブリクエストである。【０２７８】
従って、端末装置から４個の制御用プローブリクエストＰＲＣＴＬ１〜ＰＲＣＴＬ４を受信した無線装置は、４個の制御用プローブリクエストＰＲＣＴＬ１〜ＰＲＣＴＬ４の４個のフレーム長Ｌ１〜Ｌ４を検出して制御対象の装置の識別子を検知するとともに、４個目の制御用プローブリクエストＰＲＣＴＬ４（＝接続用プローブリクエスト）に応じて端末装置との間で無線リンクを確立する。この場合、端末装置は、４個の制御用プローブリクエストＰＲＣＴＬ１〜ＰＲＣＴＬ４のうちの１つが接続用プローブリクエストであることを認識せずに４個の制御用プローブリクエストＰＲＣＴＬ１〜ＰＲＣＴＬ４を送信する。【０２７９】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【０２８０】
この発明は、端末装置、それと無線通信を行う無線装置およびそれらを備えた無線通信システムに適用される。
【要約】端末装置１は、他の無線装置との間で無線リンクを確立していないときに無線通信を開始するとき、スリープ状態から起動状態へ移行させたい接続先の無線基地局２の識別子をフレーム長によって表わした複数の起動用プローブリクエストをアクティブスキャンにおける管理フレームとして送信する。そして、無線基地局２は、端末装置１から送信された複数の起動用プローブリクエストを無線ＬＡＮのアクティブスキャンにおける管理フレームとして受信し、その受信した複数の起動用プローブリクエストに基づいて検出された複数のダミーネットワーク識別子が自己の識別子を表わすときスリープ状態から起動状態へ移行する。
【選択図】図１【図１】
0005506007.tif 000002
【図２】
0005506007.tif 000003
【図３】
0005506007.tif 000004
【図４】
0005506007.tif 000005
【図５】
0005506007.tif 000006
【図６】
0005506007.tif 000007
【図７】
0005506007.tif 000008
【図８】
0005506007.tif 000009
【図９】
0005506007.tif 000010
【図１０】
0005506007.tif 000011
【図１１】
0005506007.tif 000012
【図１２】
0005506007.tif 000013
【図１３】
0005506007.tif 000014
【図１４】
0005506007.tif 000015
【図１５】
0005506007.tif 000016
【図１６】
0005506007.tif 000017
【図１７】
0005506007.tif 000018
【図１８】
0005506007.tif 000019
【図１９】
0005506007.tif 000020
【図２０】
0005506007.tif 000021
【図２１】
0005506007.tif 000022
【図２２】
0005506007.tif 000023
【図２３】
0005506007.tif 000024
【図２４】
0005506007.tif 000025
【図２５】
0005506007.tif 000026